(57)【要約】  本発明は、移動通信網を通じて発送されるショートメッセージを予め登録されたフォーマットのショートメッセージまたはマルチメディアメッセージに変換する方法に関するものであって、任意の発信加入者からショートメッセージを受信した後、当該発信加入者がショートメッセージ変換サービスに加入されているか否かを判別し、この発信加入者がショートメッセージ変換サービスに加入されている場合、上記ショートメッセージを予め登録されたフォーマットに変換して指定された着信端末に伝送する方法に関する。
2009512248.tif 000002
【特許請求の範囲】
【請求項１】
ＣＤＭＡ（コード分割多重接続）ネットワークにおいてショートメッセージ（ＳＭＳ）及び／またはマルチメディアメッセージ（ＭＭＳ）の着発信が可能なＣＤＭＡ加入者端末間にショートメッセージ（ＳＭＳ）を送受信するシステムであって、
加入者情報、ショートメッセージを装飾するためのコーディネーションサービスの加入可否とそのサービス属性に対するＳＭＳサービスプロファイル及び加入者端末の位置情報を貯蔵・管理するホーム位置登録機（ＨＬＲ）；
上記発信側ＣＤＭＡ加入者端末（以下、発信端末）の位置登録のときに上記ホーム位置登録機から上記ＳＭＳサービスプロファイルを伝達され貯蔵し、上記発信端末からＳＭＳが発信されれば、上記ＳＭＳサービスプロファイルをＳＭＤＰＰメッセージに収録してショートメッセージサービスセンター（ＳＭＳＣ）に伝達する発信側移動交換局（ＰＣＸ／ＭＳＣ）；
上記ＳＭＳサービスプロファイル内にコーディネーションサービス加入が設定されている場合、コーディネーションサービス属性情報をＤＥＬＩＶＥＲ メッセージに収録してメッセージ変換センターに伝達するショートメッセージサービスセンター（ＳＭＳＣ）；
上記サービス属性情報に基づいて上記ショートメッセージを装飾化してコーディネーションメッセージに変換し、このコーディネーションメッセージを上記ショートメッセージサービスセンターを経由して上記着信側ＣＤＭＡ加入者端末（以下、着信端末）に伝送するメッセージ変換センターを含むことを特徴とする移動通信網を通じて伝送されるショートメッセージ（ＳＭＳ）を変換するシステム。
【請求項２】
上記コーディネーションメッセージは、グラフィック、イメージ、動画または音響が含まれているマルチメディアメッセージであることを特徴とする請求項１に記載のシステム。
【請求項３】
上記メッセージ変換センターからマルチメディアコーディネーションメッセージを伝達され、このマルチメディアコーディネーションメッセージをＳＵＢＭＩＴ メッセージ（ＳＭＳサブミットメッセージ）に収録して上記ショートメッセージサービスセンターに伝送するマルチメディアメッセージサービスセンター（ＬＭＳＣ／ＭＭＳＣ）をさらに含むことを特徴とする請求項２に記載のシステム。
【請求項４】
上記メッセージ変換センターは、
ショートメッセージを装飾化してコーディネーションメッセージに変換し、このように変換されたコーディネーションメッセージを上記マルチメディアサービスセンターに伝達するメッセージコーディネーションサーバー（ＭＣＳ）と；
ショートメッセージサービスセンターから受信したＤＥＬＩＶＥＲ メッセージ内にコーディネーションサービスが活性化されている場合、ショートメッセージを上記メッセージコーディネーションサーバーに伝達する付加サービス処理システム（ＶＡＳ）からなることを特徴とする請求項３に記載のシステム。
【請求項５】
上記コーディネーションメッセージは、文字またはエモティコンが含まれているショートメッセージであることを特徴とする請求項１に記載のシステム。
【請求項６】
上記メッセージ変換センターは、
ショートメッセージを装飾化してコーディネーションメッセージに変換するメッセージコーディネーションサーバー（ＭＣＳ）と；
ショートメッセージサービスセンターから受信したＤＥＬＩＶＥＲ メッセージ内にコーディネーションサービスが活性化されている場合、ショートメッセージを上記メッセージコーディネーションサーバーに伝達し、上記メッセージコーディネーションサーバーから伝達されるコーディネーションメッセージをショートメッセージサービスセンターに伝達する付加サービス処理システム（ＶＡＳ）からなることを特徴とする請求項５に記載のシステム。
【請求項７】
上記ショートメッセージサービスセンターは移動交換局から受信したＳＭＳサービスプロファイルのメッセージコーディネーションサービスフィールドが活性化されている場合、上記ＤＥＬＩＶＥＲ メッセージのＳＭフィールドにメッセージコーディネーションサービスの属性情報を収録して上記メッセージ変換センターに伝送することを特徴とする請求項４または請求項６に記載のシステム。
【請求項８】
発信側ＣＤＭＡ加入者端末（以下、発信端末）から着信側ＣＤＭＡ加入者端末（以下、着信端末）に伝送されるショートメッセージを装飾する方法であって、
（１）上記発信端末の位置登録のときにホーム位置登録機（ＨＬＲ）から当該発信加入者のＳＭＳサービスプロファイル情報を伝達され、これを発信側移動交換局に貯蔵・管理する段階；
（２）発信加入者が上記発信端末を通じてショートメッセージを作成し、このショートメッセージを基地局を経由して上記発信側移動交換局（ＰＣＸ／ＭＳＣ）に送出する段階；
（３）上記発信加入者のＳＭＳサービスプロファイルに基づいて当該発信加入者がショートメッセージを装飾するサービス（以下、メッセージコーディネーションサービス）に加入されているか否かを判断する段階；
（４）発信加入者がメッセージコーディネーションサービスに加入されている場合、上記ＳＭＳサービスプロファイルをＳＭＤＰＰメッセージに収録してショートメッセージサービスセンター（ＳＭＳＣ）に伝送する段階；
（５）上記ＳＭＳサービスプロファイル内にメッセージコーディネーションサービスが活性化されている場合、上記ショートメッセージデータをＤＥＬＩＶＥＲ メッセージに収録してメッセージコーディネーションセンターに伝送する段階；
（６）上記発信加入者により予め登録されたフォーマットに基づいて上記ショートメッセージデータを装飾化してコーディネーションメッセージに変換する段階；及び
（７）このように変換されたコーディネーションメッセージを上記ショートメッセージサービスセンターを経由して上記着信端末に伝送する段階を含むことを特徴とする移動通信網を通じて伝送されるショートメッセージ（ＳＭＳ）を装飾する方法。
【請求項９】
上記コーディネーションメッセージは、グラフィック、イメージ、動画または音響が含まれているマルチメディアメッセージ（ＭＭＳ）であることを特徴とする請求項８に記載の方法。
【請求項１０】
上記（７）段階は、
上記コーディネーションメッセージをマルチメディアメッセージサービスセンターに伝送する段階；
上記コーディネーションメッセージをサブミットメッセージ（ＳＵＢＭＩＴ メッセージ）を利用してショートメッセージサービスセンターに伝送する段階；
ホーム位置登録機から着信端末の位置情報を獲得する段階；
上記コーディネーションメッセージをベアラーデータ（Ｂｅａｒｅｒ Ｄａｔａ）に貯蔵してＳＭＤＰＰ形式で上記着信端末が位置する移動交換局に伝送する段階；及び
上記コーディネーションメッセージを基地局を経由して上記着信端末に伝送する段階を含むことを特徴とする請求項９に記載の方法。
【請求項１１】
上記コーディネーションメッセージは、文字またはエモティコンが含まれたショートメッセージ（ＳＭＳ）であることを特徴とする請求項８に記載の方法。
【請求項１２】
上記（７）段階は、
上記コーディネーションメッセージをサブミットメッセージ（ＳＵＢＭＩＴ メッセージ）を利用してショートメッセージサービスセンターに伝送する段階；
ホーム位置登録機から着信端末の位置情報を獲得する段階；
上記コーディネーションメッセージをベアラーデータ（Ｂｅａｒｅｒ Ｄａｔａ）に貯蔵してＳＭＤＰＰ形式で上記着信端末が位置する移動交換局に伝送する段階；
上記コーディネーションメッセージを基地局を経由して上記着信端末に伝送する段階を含むことを特徴とする請求項１１に記載の方法。
【請求項１３】
伝送結果に関連して伝送成功または伝送失敗に応じた特定のコード（Ａｃｋ）を着信側移動交換局から上記ショートメッセージサービスセンターに伝送する段階；
上記特定のコードに起因する状態レポート（Ｓｔａｔｕｓ‐Ｒｅｐｏｒｔ）を上記メッセージコーディネーションセンターに伝達する段階をさらに含むことを特徴とする請求項１０または請求項１２に記載の方法。
【請求項１４】
ＷＣＤＭＡ（広帯域コード分割多重接続）ネットワークにおいてショートメッセージ（ＳＭＳ）及び／またはマルチメディアメッセージ（ＭＭＳ）の着発信が可能なＷＣＤＭＡ加入者端末間にショートメッセージ（ＳＭＳ）を送受信するシステムであって、
ショートメッセージを装飾するためのコーディネーションサービスの加入可否とそのサービス属性に対するＳＭＳサービスプロファイル及び加入者端末の位置情報を貯蔵・管理するホーム位置登録機（ＤＳ‐ＨＬＲ）；
上記発信側ＷＣＤＭＡ加入者端末（以下、発信端末）の位置登録のときに上記ホーム位置登録機から上記ＳＭＳサービスプロファイルを伝達され貯蔵し、上記発信端末からＳＭＳが発信されれば、上記ＳＭＳサービスプロファイルをメッセージに収録して着信加入者を収容するショートメッセージサービスセンター（ＳＭＳＣ）に伝達する発信側移動交換機（ＭＳＣ／ＳＧＳＮ）；
上記コーディネーションサービスの加入情報と上記発信加入者識別情報をメッセージ変換センターに伝達するショートメッセージサービスセンター（ＳＭＳＣ）；
上記発信加入者識別情報に基づいて上記ショートメッセージを予め登録されたフォーマットで装飾化してコーディネーションメッセージに変換し、このコーディネーションメッセージを上記ショートメッセージサービスセンターを経由して上記着信側ＷＣＤＭＡ加入者端末（以下、着信端末）に伝送するメッセージ変換センターを含むことを特徴とする広帯域コード分割多重接続ネットワークを通じて伝送されるショートメッセージ（ＳＭＳ）を装飾するシステム。
【請求項１５】
上記コーディネーションメッセージは、グラフィック、イメージ、動画または音響が含まれているマルチメディアメッセージであることを特徴とする請求項１４に記載のシステム。
【請求項１６】
上記メッセージ変換センターからマルチメディアコーディネーションメッセージを伝達され、このマルチメディアコーディネーションメッセージをＳＭＳサブミットメッセージに収録して上記ショートメッセージサービスセンターに伝送するマルチメディアメッセージサービスセンター（ＬＭＳＣ／ＭＭＳＣ）をさらに含むことを特徴とする請求項１５に記載のシステム。
【請求項１７】
上記メッセージ変換センターは、
ショートメッセージを装飾化してコーディネーションメッセージに変換し、このように変換されたコーディネーションメッセージを上記マルチメディアサービスセンターに伝達するメッセージコーディネーションサーバー（ＭＣＳ）と；
ショートメッセージサービスセンターから受信したメッセージ内にコーディネーションサービスが活性化されている場合、ショートメッセージを上記メッセージコーディネーションサーバーに伝達する付加サービス処理システム（ＶＡＳ）とからなることを特徴とする請求項１６に記載のシステム。
【請求項１８】
上記コーディネーションメッセージは、文字またはエモティコンが含まれているショートメッセージであることを特徴とする請求項１４に記載のシステム。
【請求項１９】
上記メッセージ変換センターは、
ショートメッセージを装飾化してコーディネーションメッセージに変換するメッセージコーディネーションサーバー（ＭＣＳ）と；
ショートメッセージサービスセンターから受信したＳＭＳサブミットメッセージ内にコーディネーションサービスが活性化されている場合、ショートメッセージを上記メッセージコーディネーションサーバーに伝達し、上記メッセージコーディネーションサーバーから伝達されるコーディネーションメッセージをショートメッセージサービスセンターに伝達する付加サービス処理システム（ＶＡＳ）とからなることを特徴とする請求項１８に記載のシステム。
【請求項２０】
上記ショートメッセージサービスセンター（ＤＳ‐ＳＭＳＣ）は上記ホーム位置登録機（ＤＳ‐ＨＬＲ）を利用して着信加入者の位置情報を確認し、上記コーディネーションメッセージを上記着信加入者を収容する着信側移動交換機（ＭＳＣ／ＳＧＳＮ）に伝達することを特徴とする請求項１４に記載のシステム。
【請求項２１】
少なくともショートメッセージ（ＳＭＳ）の発信が可能な発信側ＷＣＤＭＡ加入者端末（以下、発信端末）とショートメッセージ（ＳＭＳ）及び／またはマルチメディアメッセージ（ＭＭＳ）の受信と出力が可能な着信側ＷＣＤＭＡ加入者端末（以下、着信端末）との間に送受信されるショートメッセージを装飾する方法であって、
（１）発信加入者が上記発信端末を通じてショートメッセージを作成し、このショートメッセージを基地局を経由して上記発信側移動交換局（ＭＳＣ／ＳＧＳＮ）に送出する段階；
（２）当該発信加入者がショートメッセージを装飾するサービス（以下、メッセージコーディネーションサービス）に加入されているか否かを判断する段階；
（３）上記発信加入者がメッセージコーディネーションサービスに加入されている場合、上記コーディネーションサービスの加入情報を上記着信加入者を収容するショートメッセージサービスセンター（ＤＳ‐ＳＭＳＣ）に伝送する段階；
（４）上記コーディネーションサービスの加入情報とショートメッセージデータをメッセージコーディネーションサーバーに伝送する段階；
（５）上記ショートメッセージデータを上記発信加入者により予め登録されたフォーマットのコーディネーションメッセージに変換する段階；及び
（６）上記コーディネーションメッセージを上記着信端末に伝送する段階を含むことを特徴とするＷＣＤＭＡ通信網を通じて伝送されるショートメッセージ（ＳＭＳ）を装飾する方法。
【請求項２２】
上記コーディネーションメッセージは、グラフィック、イメージ、動画または音響が含まれているマルチメディアメッセージ（ＭＭＳ）であることを特徴とする請求項２１に記載の方法。
【請求項２３】
上記コーディネーションメッセージは、文字またはエモティコンが含まれたショートメッセージ（ＳＭＳ）であることを特徴とする請求項２１に記載の方法。
【請求項２４】
発信側ＷＣＤＭＡ加入者端末（以下、発信端末）から着信側ＷＣＤＭＡ加入者端末（以下、着信端末）に伝送されるショートメッセージを装飾する方法であって、
（１）上記発信端末の位置登録のときにホーム位置登録機（ＤＳ‐ＨＬＲ）から当該発信加入者のＳＭＳサービスプロファイル情報を伝達され、これを発信側移動交換局（ＭＳＣ／ＳＧＳＮ）に貯蔵・管理する段階と；
（２）発信加入者が上記発信端末を通じてショートメッセージを作成し、このショートメッセージを基地局を経由して上記発信側移動交換局（ＭＳＣ／ＳＧＳＮ）に送出する段階；
（３）上記発信加入者のＳＭＳサービスプロファイルに基づいて当該発信加入者がショートメッセージを装飾するサービス（以下、メッセージコーディネーションサービス）に加入されているか否かを判断する段階；
（４）発信加入者がメッセージコーディネーションサービスに加入されている場合、上記ＳＭＳサービスプロファイルをＦｏｒｗａｒｄ＿ＳＭメッセージに収録してショートメッセージサービスセンター（ＳＭＳＣ）に伝送する段階；
（５）上記ＳＭＳサービスプロファイル内にメッセージコーディネーションサービスが活性化されている場合、上記ショートメッセージデータをＤＥＬＩＶＥＲ メッセージに収録してメッセージコーディネーションセンターに伝送する段階；
（６）上記発信加入者により予め登録されたフォーマットに基づいて上記ショートメッセージデータを装飾化してコーディネーションメッセージに変換する段階；
（７）このように変換されたコーディネーションメッセージを上記ショートメッセージサービスセンターを経由して上記着信端末に伝送する段階を含むことを特徴とするＷＣＤＭＡ通信網を通じて伝送されるショートメッセージ（ＳＭＳ）を装飾する方法。
【請求項２５】
上記コーディネーションメッセージは、グラフィック、イメージ、動画または音響が含まれているマルチメディアメッセージ（ＭＭＳ）であることを特徴とする請求項２４に記載の方法。
【請求項２６】
上記（７）段階は、
上記コーディネーションメッセージをマルチメディアメッセージサービスセンターに伝送する段階；
上記コーディネーションメッセージをサブミットメッセージ（ＳＵＢＭＩＴ メッセージ）を利用してショートメッセージサービスセンターに伝送する段階；
ホーム位置登録機から着信端末の位置情報を獲得する段階；
上記コーディネーションメッセージをベアラーデータ（Ｂｅａｒｅｒ Ｄａｔａ）に貯蔵してＦｏｒｗａｒｄ‐ＳＭ形式で上記着信端末が位置する移動交換局（ＭＳＣ／ＳＧＳＮ）に伝送する段階；
上記コーディネーションメッセージを基地局を経由して上記着信端末に伝送する段階を含むことを特徴とする請求項２５に記載の方法。
【請求項２７】
上記コーディネーションメッセージは、文字またはエモティコンが含まれたショートメッセージ（ＳＭＳ）であることを特徴とする請求項２４に記載の方法。
【請求項２８】
上記（７）段階は、
上記コーディネーションメッセージをサブミットメッセージ（ＳＵＢＭＩＴ メッセージ）を利用してショートメッセージサービスセンターに伝送する段階；
ホーム位置登録機から着信端末の位置情報を獲得する段階；
上記コーディネーションメッセージをベアラーデータ（Ｂｅａｒｅｒ Ｄａｔａ）に貯蔵してＦｏｒｗａｒｄ‐ＳＭ形式で上記着信端末が位置する移動交換局（ＭＳＣ／ＳＧＳＮ）に伝送する段階；
上記コーディネーションメッセージを基地局を経由して上記着信端末に伝送する段階を含むことを特徴とする請求項２７に記載の方法。
【請求項２９】
上記コーディネーションメッセージが回線網またはパケット網を通じて着信端末に伝送されることを特徴とする請求項２６または請求項２８に記載の方法。
【請求項３０】
上記ＳＭＳサービスプロファイルはＳＭＳ ｉｎｄｉｃａｔｏｒに収録され伝送されることを特徴とする請求項２６または請求項２８に記載の方法。
【発明の詳細な説明】
【発明の詳細な説明】
【０００１】
〔技術分野〕
本発明は、コード分割多重接続（ＣＤＭＡ）ネットワークまたは広帯域コード分割多重接続（ＷＣＤＭＡ）ネットワークにおけるデータ伝送に関する。より詳しくは、本発明は、ＳＭＳ（ショートメッセージサービス）に対する付加サービスに関するものであって、ショートメッセージに文字やイメージ、音響などを付加してショートメッセージを装飾するメッセージコーディネーションサービス（Ｍｅｓｓａｇｅ Ｃｏｏｒｄｉｎａｔｉｏｎ Ｓｅｒｖｉｃｅ）に関する。
【０００２】
〔背景技術〕
最近の電子工学及び通信工学の飛躍的な発展に伴い移動通信端末機も多様な機能を持つようになった。すなわち、無線通信及びデータの処理技術が急速に発展するにつれて人々は移動通信端末機を利用して音声通話だけでなく、インターネットの接続、画像通信及び動画メッセージの伝送などの機能が利用できるようになった。また、移動通信端末機の急激な普及により人間関係で発生する相当な量の通信が移動通信端末機を通じて行われるなど、移動通信端末機は現代生活において必須の通信手段として位置づけられつつある。
【０００３】
このような移動通信端末機の多様な機能の中で簡単な情報を相手に迅速に伝達することができる文字メッセージサービス（ＳＭＳ：Ｓｈｏｒｔ Ｍｅｓｓａｇｅ Ｓｅｒｖｉｃｅ）または音声メッセージサービスが広く使われている。このＳＭＳサービスは、音声通話に比べて非常に安価な費用で所望の情報を特定の相手や多数の相手に速くて簡便に伝達することができ、受信された文字メッセージを追って確認するか再度確認するために保存できるという長所がある。このような長所によりＳＭＳは、証券、天気、ニュース、教育情報などの提供だけでなく、電子決済サービスにおいて決済情報（代金、物品内訳、口座情報など）などを提供する用途としても幅広く利用されている。
【０００４】
既存のＳＭＳサービスは単に文字を符号化して伝送するのにその機能を果たしている。しかし、移動通信端末機の使用者は伝達しようとするメッセージの内容をより多様な形態に加工して送りたがっている。すなわち、単純な意思伝達のためのテキスト文字の伝達からエモティコン、イメージ、動画、音響などのような視聴覚的な効果を付加して装飾美を高めようとする欲求が増大している。
【０００５】
このような使用者の欲求を満たすため、ＳＭＳの書体、サイズ及び色を変えたり、アバターのようなイメージ、グラフィックエモティコン、動画、音響などを付加してショートメッセージをマルチメディアメッセージに切り換える技術が開示されている。
【０００６】
韓国公開特許第２００２‐１１０３３号（以下、０３３'号特許）は、加入者がショートメッセージと共にマルチメディアイベントインデックス情報を移動通信網のショートメッセージサービスセンターに送出すれば、ショートメッセージサービスセンターは着信端末機内に上記インデックスに対応するマルチメディアイベントデータが存在するか否かを判断し、存在する場合ショートメッセージと共にマルチメディアインデックス情報を着信端末に提供することで着信端末にて動画及び音響などのマルチメディアイベントを発生させる方法を開示している。
【０００７】
また、韓国公開特許第２００４‐２５４３８号（以下、４３８'号特許）は、文字メッセージ伝送のときに文章に含まれているグラフィックエモティコンをマッピングされている文字に変更して伝送し、受信された文字メッセージを分析してグラフィックエモティコンに該当する文字をマッピングされているグラフィックエモティコンに変更して表示する方法を開示している。
【０００８】
このように上記０３３'号及び４３８'号特許の場合には、ショートメッセージをマルチメディアメッセージに切り換えるために着発信端末に別途のプログラムやデータの貯蔵を要する。
【０００９】
韓国公開特許第２００４‐８６９６３号（以下、９６３'号特許）は、ショートメッセージと共に着信端末にアバターイメージをダウンロードすることができるコールバックＵＲＬを提供するショートメッセージサービス方法を開示している。
【００１０】
さらに、韓国公開特許第２００１‐１６４４２号、韓国公開特許第２００３‐３５２４９号及び韓国公開特許第２００４‐１００７００号は、発信加入者が文字メッセージデータと共に変換要請情報（特殊キー、変換命令、文字イメージ情報）を伝送すれば、移動通信網の文字メッセージ処理手段が使用者の変換要請情報に基づいてショートメッセージをマルチメディアメッセージに変換・生成し、このマルチメディアメッセージを着信端末に提供する方法を開示している。
【００１１】
しかし、このように移動通信網に送出されるショートメッセージ内に別途の変換要請情報を含ませるためには、発信端末内に専用のプログラムが設置されるか変換要請情報の入力という別途の使用者アクションが要求される。
【００１２】
また、発信端末から送出された上記変換要請情報を移動通信網の交換機（ＰＣＸ／ＭＳＣ）やショートメッセージサービスセンター（ＳＭＳＣ）が認識するためには、既存のプロトコルに変更を加えるか交換器やショートメッセージサービスセンターの運用プログラムを修正しなければならない。
【００１３】
したがって、着発信端末のアップグレードや使用者の追加的なアクションが要求されないながら、移動通信網も変更しないショートメッセージの変換方法が求められている。
【００１４】
〔発明の詳細な説明〕
[技術的課題]
本発明は、着発信端末のアップグレードや別途の使用者アクションなくショートメッセージを装飾化されたコーディネーションメッセージに変換するシステム及び方法を提供することを目的とする。
【００１５】
本発明は、移動通信網の移動交換局やショートメッセージサービスセンターの運営プログラムやプロトコルに対する修正なくショートメッセージをコーディネーションメッセージに変換するシステム及び方法を提供することを他の目的とする。
【００１６】
本発明は、ＣＤＭＡシステムにおけるネットワーク実体間の機能制御を規定したＩＳ ４１‐Ｄのような上位通信プロトコルのメッセージパラメータを利用してショートメッセージをコーディネーションメッセージに変換するシステム及び方法を提供することをさらに他の目的とする。
【００１７】
また、本発明は、ＷＣＤＭＡシステムにおけるショートメッセージサービスのための規格を規定しているＩＳ‐６３７‐Ａのような上位通信プロトコルのメッセージパラメータを利用してショートメッセージをコーディネーションメッセージに変換するシステム及び方法を提供することをさらに他の目的とする。
【００１８】
[技術的解決方法]
上述した技術的課題を達成するために、本発明の第１様態は、移動通信網を通じて発送されるショートメッセージを予め登録されたフォーマットのショートメッセージまたはマルチメディアメッセージに変換する方法に関する。この方法は、発信端末と着信端末との間でショートメッセージまたはマルチメディアメッセージを仲介する移動通信システムで行われ、
（１）発信加入者からショートメッセージを受信する段階；
（２）上記発信加入者がショートメッセージ変換サービスに加入されているか否かを判別する段階；
（３）上記発信加入者がショートメッセージ変換サービスに加入されている場合、上記ショートメッセージを予め登録されたフォーマットに変換する段階；
（４）上記変換されたショートメッセージを着信端末に伝送する段階を含む。
【００１９】
また、本発明の第２様態は、発信加入者端末から発送されたショートメッセージを予め登録されたフォーマットのショートメッセージ（ＳＭＳ）またはマルチメディアメッセージ（ＭＭＳ）に変換して指定された着信加入者端末に伝送する移動通信システムであって、このシステムは、
上記発信加入者または着信加入者のメッセージ変換サービスの加入可否を記録する手段；
発信加入者端末からショートメッセージを受信することで当該加入者のメッセージ変換サービスの加入可否を上記記録手段を参照して判別する手段；
上記判別手段からメッセージ変換要請を受信し、上記ショートメッセージを上記予め登録されたフォーマットのショートメッセージまたはマルチメディアメッセージに変換する手段；及び、
上記変換されたショートメッセージまたはマルチメディアメッセージを上記着信加入者端末に伝送する手段を含む。
【００２０】
本発明による第３様態は、ＣＤＭＡ（コード分割多重接続）ネットワークにおいてショートメッセージ（ＳＭＳ）及び／またはマルチメディアメッセージ（ＭＭＳ）の着発信が可能なＣＤＭＡ加入者端末間にショートメッセージ（ＳＭＳ）を送受信するシステムであって、加入者情報、ショートメッセージを装飾するためのコーディネーションサービスの加入可否とそのサービス属性に対するＳＭＳサービスプロファイル及び加入者端末の位置情報を貯蔵・管理するホーム位置登録機（ＨＬＲ）；上記発信側ＣＤＭＡ加入者端末（以下、発信端末）の位置登録のときに上記ホーム位置登録機から上記ＳＭＳサービスプロファイルを伝達されて貯蔵し、上記発信端末からＳＭＳが発信されれば、上記ＳＭＳサービスプロファイルをＳＭＤＰＰメッセージに収録してショートメッセージサービスセンター（ＳＭＳＣ）に伝達する発信側移動交換局（ＰＣＸ／ＭＳＣ）；上記ＳＭＳサービスプロファイル内にコーディネーションサービスの加入が設定されている場合、コーディネーションサービス属性情報をＤＥＬＩＶＥＲ メッセージに収録してメッセージ変換センターに伝達するショートメッセージサービスセンター（ＳＭＳＣ）；上記サービス属性情報に基づいて上記ショートメッセージを装飾化してコーディネーションメッセージに変換し、このコーディネーションメッセージを上記ショートメッセージサービスセンターを経由して上記着信側ＣＤＭＡ加入者端末（以下、着信端末）に伝送するメッセージ変換センターを含む。
【００２１】
また、本発明の第４様態は、少なくともショートメッセージ（ＳＭＳ）の発信が可能な発信側ＣＤＭＡ加入者端末（以下、発信端末）とショートメッセージ（ＳＭＳ）及び／またはマルチメディアメッセージ（ＭＭＳ）の受信と出力が可能な着信側ＣＤＭＡ加入者端末（以下、着信端末）との間に送受信されるショートメッセージを装飾する方法であって、（１）発信加入者が上記発信端末を通じてショートメッセージを作成し、このショートメッセージを基地局を経由して上記発信側移動交換局（ＰＣＸ／ＭＳＣ）に送出する段階；（２）当該発信加入者がショートメッセージを装飾するサービス（以下、メッセージコーディネーションサービス）に加入されているか否かを判断する段階；（３）上記発信加入者がメッセージコーディネーションサービスに加入されている場合、上記コーディネーションサービスの加入情報とそのサービス属性情報をショートメッセージサービスセンター（ＳＭＳＣ）に伝送する段階；（４）上記サービス属性情報とショートメッセージデータをメッセージコーディネーションサーバーに伝送する段階；（５）上記サービス属性情報に基づいて上記ショートメッセージデータをコーディネーションメッセージに変換する段階；及び（６）上記コーディネーションメッセージを上記着信端末に伝送する段階を含む。
【００２２】
本発明の第５様態は、発信側ＣＤＭＡ加入者端末（以下、発信端末）から着信側ＣＤＭＡ加入者端末（以下、着信端末）に伝送されるショートメッセージを装飾する方法であって、（１）上記発信端末の位置登録のときにホーム位置登録機（ＨＬＲ）から当該発信加入者のＳＭＳサービスプロファイル情報を伝達され、これを発信側移動交換局に貯蔵・管理する段階と；（２）発信加入者が上記発信端末を通じてショートメッセージを作成し、このショートメッセージを基地局を経由して上記発信側移動交換局（ＰＣＸ／ＭＳＣ）に送出する段階；（３）上記発信加入者のＳＭＳサービスプロファイルに基づいて、当該発信加入者がショートメッセージを装飾するサービス（以下、メッセージコーディネーションサービス）に加入されているか否かを判断する段階；（４）発信加入者がメッセージコーディネーションサービスに加入されている場合、上記ＳＭＳサービスプロファイルをＳＭＤＰＰメッセージに収録してショートメッセージサービスセンター（ＳＭＳＣ）に伝送する段階；（５）上記ＳＭＳサービスプロファイル内にメッセージコーディネーションサービスが活性化されている場合、上記ショートメッセージデータとメッセージコーディネーションサービス属性情報をＤＥＬＩＶＥＲ メッセージに収録してメッセージコーディネーションセンターに伝送する段階；（６）上記サービス属性情報に基づいて、上記ショートメッセージデータを装飾化してコーディネーションメッセージに変換する段階；（７）このように変換されたコーディネーションメッセージを上記ショートメッセージサービスセンターを経由して上記着信端末に伝送する段階を含む。
【００２３】
本発明の第６様態は、ＷＣＤＭＡ（広帯域コード分割多重接続）ネットワークにおいてショートメッセージ（ＳＭＳ）及び／またはマルチメディアメッセージ（ＭＭＳ）の着発信が可能なＷＣＤＭＡ加入者端末間にショートメッセージ（ＳＭＳ）を送受信するシステムであって、ショートメッセージを装飾するためのコーディネーションサービスの加入可否とそのサービス属性に対するＳＭＳサービスプロファイル及び加入者端末の位置情報を貯蔵・管理するホーム位置登録機（ＤＳ‐ＨＬＲ）；上記発信側ＷＣＤＭＡ加入者端末（以下、発信端末）の位置登録のときに上記ホーム位置登録機から上記ＳＭＳサービスプロファイルを伝達されて貯蔵し、上記発信端末からＳＭＳが発信されれば、上記ＳＭＳサービスプロファイルをメッセージに収録して着信加入者を収容するショートメッセージサービスセンター（ＳＭＳＣ）に伝達する発信側移動交換機（ＭＳＣ／ＳＧＳＮ）；上記コーディネーションサービスの加入情報と上記発信加入者識別情報をメッセージ変換センターに伝達するショートメッセージサービスセンター（ＳＭＳＣ）；上記発信加入者識別情報に基づいて上記ショートメッセージを予め登録されたフォーマットで装飾化してコーディネーションメッセージに変換し、このコーディネーションメッセージを上記ショートメッセージサービスセンターを経由して上記着信側ＷＣＤＭＡ加入者端末（以下、着信端末）に伝送するメッセージ変換センターを含む広帯域コード分割多重接続ネットワークを通じて伝送されるショートメッセージ（ＳＭＳ）を装飾するシステムに関する。
【００２４】
本発明の第７様態は、少なくともショートメッセージ（ＳＭＳ）の発信が可能な発信側ＷＣＤＭＡ加入者端末（以下、発信端末）とショートメッセージ（ＳＭＳ）及び／またはマルチメディアメッセージ（ＭＭＳ）の受信と出力が可能な着信側ＷＣＤＭＡ加入者端末（以下、着信端末）との間に送受信されるショートメッセージを装飾する方法に関するものであって、（１）発信加入者が上記発信端末を通じてショートメッセージを作成し、このショートメッセージを基地局を経由して上記発信側移動交換局（ＭＳＣ／ＳＧＳＮ）に送出する段階；（２）当該発信加入者がショートメッセージを装飾するサービス（以下、メッセージコーディネーションサービス）に加入されているか否かを判断する段階；（３）上記発信加入者がメッセージコーディネーションサービスに加入されている場合、上記コーディネーションサービスの加入情報を上記着信加入者を収容するショートメッセージサービスセンター（ＤＳ‐ＳＭＳＣ）に伝送する段階；（４）上記コーディネーションサービスの加入情報とショートメッセージデータをメッセージコーディネーションサーバーに伝送する段階；（５）上記ショートメッセージデータを上記発信加入者により予め登録されたフォーマットのコーディネーションメッセージに変換する段階；及び（６）上記コーディネーションメッセージを上記着信端末に伝送する段階を含む。
【００２５】
また、本発明の第８様態は、発信側ＷＣＤＭＡ加入者端末（以下、発信端末）から着信側ＷＣＤＭＡ加入者端末（以下、着信端末）に伝送されるショートメッセージを装飾する方法に関するものであって、（１）上記発信端末の位置登録のときにホーム位置登録機（ＤＳ‐ＨＬＲ）から当該発信加入者のＳＭＳサービスプロファイル情報を伝達され、これを発信側移動交換局（ＭＳＣ／ＳＧＳＮ）に貯蔵・管理する段階；（２）発信加入者が上記発信端末を通じてショートメッセージを作成し、このショートメッセージを基地局を経由して上記発信側移動交換局（ＭＳＣ／ＳＧＳＮ）に送出する段階；（３）上記発信加入者のＳＭＳサービスプロファイルに基づいて、当該発信加入者がショートメッセージを装飾するサービス（以下、メッセージコーディネーションサービス）に加入されているか否かを判断する段階；（４）発信加入者がメッセージコーディネーションサービスに加入されている場合、上記ＳＭＳサービスプロファイルをＦｏｒｗａｒｄ＿ｓｍメッセージに収録してショートメッセージサービスセンター（ＳＭＳＣ）に伝送する段階；（５）上記ＳＭＳサービスプロファイル内にメッセージコーディネーションサービスが活性化されている場合、上記ショートメッセージデータをＤＥＬＩＶＥＲ メッセージに収録してメッセージコーディネーションセンターに伝送する段階；（６）上記発信加入者により予め登録されたフォーマットに基づいて上記ショートメッセージデータを装飾化してコーディネーションメッセージに変換する段階；（７）このように変換されたコーディネーションメッセージを上記ショートメッセージサービスセンターを経由して上記着信端末に伝送する段階を含む。
【００２６】
〔発明の実施のための最良の形態〕
以下、添付した図面を参照しながら本発明の望ましい実施例を詳しく説明する。
【００２７】
[第１実施例]
まず、図１は、本発明の第１実施例によるメッセージコーディネーションサービスを実現するためのコード分割多重接続（ＣＤＭＡ）ネットワークの構成を示している。
【００２８】
図１を参照すれば、本発明によるショートメッセージを変換するシステム１００は、セクタ単位で分割して割り当てられた通信領域内に位置する複数の加入者端末１１０、この加入者端末１１０と無線通信する基地局（ＢＴＳ：Ｂａｓｅ Ｓｔａｔｉｏｎ Ｔｒａｎｃｅｉｖｅｒ）１２１、上記基地局１２１を制御する基地局制御器（ＢＳＣ：Ｂａｓｅ Ｓｔａｔｉｏｎ Ｃｏｎｔｒｏｌｌｅｒ）１２２；移動交換局１３０；訪問者位置登録機（ＶＬＲ：Ｖｉｓｉｔｏｒ Ｌｏｃａｔｉｏｎ Ｒｅｇｉｓｔｅｒ）１３５；ＮＯ.７ネットワーク１４０；ホーム位置登録機（ＨＬＲ：Ｈｏｍｅ Ｌｏｃａｔｉｏｎ Ｒｅｇｉｓｔｅｒ）１５０；付加サービス処理システム（ＶＡＳ：Ｖａｌｕｅ Ａｄｄｅｄ Ｓｅｒｖｉｃｅ Ｓｅｒｖｅｒ）１７０；ショートメッセージサービスセンター（ＳＭＳＣ：Ｓｈｏｒｔ Ｍｅｓｓａｇｅ Ｓｅｒｖｉｃｅ Ｃｅｎｔｅｒ）１６０；マルチメディアメッセージサービスセンター（ＭＭＳＣ：Ｍｕｌｔｉｍｅｄｉａ Ｍｅｓｓａｇｅ Ｓｅｒｖｉｃｅ Ｃｅｎｔｅｒ）１９０及びメッセージコーディネーションサーバー（ＭＣＳ：Ｍｅｓｓａｇｅ Ｃｏｏｒｄｉｎａｔｉｏｎ Ｓｅｒｖｅｒ）１８０を含む。
【００２９】
上記加入者端末１１０は、基本的な呼処理及び位置登録機能の以外にショートメッセージ（ＳＭＳ）の着発信機能を担当する。また、上記加入者端末１１０はマルチメディアメッセージ（ＭＭＳ）を受信し出力する機能を持つことができる。本発明による加入者端末１１０は、セルラーフォーン、ＰＣＳ（Ｐｅｒｓｏｎａｌ Ｃｏｍｍｕｎｉｃａｔｉｏｎ Ｓｅｒｖｉｃｅ）フォーン、ＰＤＡフォーン、ＧＳＭフォーン、ＷＣＤＭＡフォーン、ＣＤＭＡ‐２０００フォーン、ＤＭＢフォーンなどを含む。
【００３０】
無線接続網１２０は、上記加入者端末の移動性を保障する役割をし、ハンドオフ（Ｈａｎｄ‐Ｏｆｆ）及び無線資源管理機能を行う。上記無線接続網１２０は基地局１２１及び基地局制御器１２２から構成され加入者端末１１０と移動交換局１３０との間で加入者端末１１０が無線プロトコルを使ってＮＯ.７ネットワーク１４０に接近できるようにする。特に、上記基地局１２１は、信号チャンネルの中でページングチャンネルまたはトラフィックチャンネルを使って発信側加入者端末（以下、発信端末）からショートメッセージを受信し基地局制御器１２２に伝送する。上記基地局制御器１２２は、基地局１２１を制御し、加入者端末に対する無線チャンネル割り当て及び解除、加入者端末及び基地局の送信出力制御、セル間ソフトハンドオフ及びハードハンドオフ決定、トランスコーディング（Ｔｒａｎｓｃｏｄｉｎｇ）及びボコーディング（Ｖｏｃｏｄｉｎｇ）、基地局に対する運営及び維持補修機能などを行う。
【００３１】
上記移動交換局１３０は、基本及び付加サービス処理、加入者の着信及び発信呼処理、位置登録手続き及びハンドオフ処理手続き、他のネックワークとの連動機能などを行う。また、上記訪問者位置登録機１３５は、上記移動交換局１３０の通信領域内に位置した加入者端末の位置及び加入者情報を臨時貯蔵する。
【００３２】
本発明の場合、発信側移動交換局１３０は発信端末の位置登録のときにホーム位置登録機１５０から当該発信端末の加入者情報、付加サービス加入及び活性化情報を伝達されこれを貯蔵・管理する。特に、ホーム位置登録機１５０から受信する位置登録要求信号（ｒｅｇ‐ｎｏｔ：Ｒｅｇｉｓｔｒａｔｉｏｎ Ｎｏｔｉｆｉｃａｔｉｏｎ Ｒｅｔｕｒｎ Ｒｅｓｕｌｔ）には図５のようなＳＭＳ発信サービス属性情報が収録される。このＳＭＳ発信サービス属性情報にはメッセージマネージャーフィールド（Ｇビート）、メッセージコーディネーションサービスフィールド（Ｆビート）及びＤｅｃｏ‐ＳＭＳフィールド（Ｅビート）が含まれている。従って、発信端末１１０からＳＭＳが送出されれば、上記発信側移動交換局１３０はホーム位置登録機１５０から伝達されたＳＭＳ発信サービス属性のメッセージコーディネーションサービスフィールドを確認して当該加入者がメッセージコーディネーションサービスに加入されているか否かを確認する。このとき、当該加入者がメッセージコーディネーションサービスに加入されている場合、「ＳＭＳ＿ＳｅｒｖｉｃｅＰｒｏｆｉｌｅ」領域の「メッセージコーディネーションサービスフィールド」を活性化させたＳＭＤＰＰ（Ｓｈｏｒｔ Ｍｅｓｓａｇｅ Ｄｅｌｉｖｅｒ Ｐｏｉｎｔ ｔｏ Ｐｏｉｎｔ）メッセージをショートメッセージサービスセンター１６０に伝送する。上記「ＳＭＳ＿ＳｅｒｖｉｃｅＰｒｏｆｉｌｅ」に対する具体的なパラメータの定義は図４に示している。
【００３３】
上記ホーム位置登録機１５０は、加入者情報、加入者別付加サービス情報及び移動通信端末の位置情報を貯蔵・管理する。特に、ホーム位置登録機１５０は発信及び着信端末のプロファイル情報を貯蔵している。このプロファイル情報は、加入者端末のＭＩＮ（加入者電話番号）、ＥＳＮ（移動電話機一連番号）、加入された移動通信付加サービス情報などを含む。従って、本発明によるメッセージコーディネーションサービスに加入された加入者の情報は上記プロファイル情報に記録される。
【００３４】
すなわち、発信端末の位置登録要求（ＲＥＧ‐ＮＯＴ）に対する応答（ｒｅｇ‐ｎｏｔ）メッセージに図５のＳＭＳ発信サービス属性を収録し上記発信側移動交換局１３０に伝達する。
【００３５】
上記ショートメッセージサービスセンター１６０は、ＳＭＳ用基本サービスを処理し、ショートメッセージを処理するためのデータを一時貯蔵するか伝達する機能を行う。また、ショートメッセージサービスのためのゲート機能を行い、移動交換局１３０及びホーム位置登録機１５０との連動のためのショートメッセージサービスＭＡＰ（Ｍｏｂｉｌｅ Ａｐｐｌｉｃａｔｉｏｎ Ｐａｒｔ）処理機能を行い、外部サービス提供者との連動のためのプロトコル整合機能も行う。
【００３６】
特に、本発明によるショートメッセージサービスセンター１６０は発信側移動交換局から図４のような構造の「ＳＭＳ‐ＳｅｒｖｉｃｅＰｒｏｆｉｌｅ」を含むＳＭＤＰＰメッセージを受信し、上記「ＳＭＳ‐ＳｅｒｖｉｃｅＰｒｏｆｉｌｅ」のメッセージコーディネーションサービスフィールドが活性化されているかを判断する。このとき、メッセージコーディネーションサービスフィールドが活性化されていれば、発信加入者の「ＳＭ Ｏｒｉｇｉｎａｔｉｏｎ ＶＡＤ Ｓｅｒｖｉｃｅ」を「ＤＥＬＩＶＥＲ」メッセージのＳＭ フィールドに収録し上記付加サービス処理システム１７０に伝達する。
【００３７】
また、上記ショートメッセージサービスセンター１６０は着信加入者の位置情報要請（ＳＭＲ）メッセージに対するホーム位置登録機１５０の位置情報応答（ｓｍｒ）メッセージから図６のようなＳＭＳ着信サービス属性データを獲得する。このＳＭＳ着信サービス属性データに基づいて発信しようとするＳＭＳに設定された付加サービスを反映する。
【００３８】
上記付加サービス処理システム１７０は、ＴＣＰ／ＩＰを基本とするＳＭＣＩ（Ｓｈｏｒｔ Ｍｅｓｓａｇｅ Ｃｌｉｅｎｔ Ｉｎｔｅｒｆａｃｅ）を通じて上記ショートメッセージサービスセンター１６０と接続される。この付加サービス処理システム１７０はショートメッセージサービスセンターとの接続機能を通じて全ての付加情報サービスを処理し、ショートメッセージサービスに対する全般的な加入者管理、課金管理及び運営管理機能を行う。
【００３９】
特に、本発明による付加サービス処理システム１７０はショートメッセージサービスセンター１６０から伝達されたＳＭＳデリバーメッセージ（ＤＥＬＩＶＥＲ メッセージ）を受信し、このＳＭＳデリバーメッセージのＳＭ フィールドに収録された「ＳＭ Ｏｒｉｇｉｎａｔｉｏｎ ＶＡＤ Ｓｅｒｖｉｃｅ」に基づいて当該発信加入者がメッセージコーディネーションサービスに加入されているか否かを判断し、メッセージコーディネーションサービスに加入されている場合にはＳＭＳデリバーメッセージからショートメッセージを抽出して上記メッセージコーディネーションサーバー１８０に伝達する。
【００４０】
また、上記メッセージコーディネーションサーバー１８０により変換されたコーディネーションメッセージがショートメッセージである場合には、メッセージコーディネーションサーバー１８０からこのショートコーディネーションメッセージを受信され、このコーディネーションメッセージをショートメッセージサブミットメッセージ（ＳＵＢＭＩＴ メッセージ）に収録しショートメッセージサービスセンター１６０に伝達する。
【００４１】
上記メッセージコーディネーションサーバー１８０は、上記付加サービス処理システム１７０から伝達されるショートメッセージに予め設定された規則（使用者により予め設定されることが望ましい）に従って、文字、エモティコン（文字エモティコンまたはグラフィックエモティコン）、イメージ、動画または音響を付加して新しいショートメッセージ（ＳＭＳ）やマルチメディアメッセージ（ＬＭＳ（Ｌｏｎｇ Ｍｅｓｓａｇｅ Ｓｅｒｖｉｃｅ）／ＭＭＳ）を生成する。特に、ショートメッセージを装飾化してメッセージを変換する形態は加入者が要請した属性による。また、上記メッセージコーディネーションサーバー１８０はメッセージ装飾化を通じて変換されたメッセージがショートメッセージである場合には上記付加サービス処理システム１７０に伝達し、上記変換メッセージがマルチメディアメッセージ（または長文メッセージ）である場合には上記マルチメディアメッセージサービスセンター（または長文メッセージサービスセンター）１９０に伝達する。
【００４２】
上記マルチメディアメッセージサービスセンター１９０は、上記メッセージコーディネーションサーバー１８０により変換されたＬＭＳ／ＭＭＳをショートメッセージサブミットメッセージ（ＳＵＢＭＩＴ メッセージ）に収録して上記ショートメッセージサービスセンター１６０に伝達する。
【００４３】
上述した本発明のシステムは着発信加入者が両方ともＣＤＭＡ加入者であり、上記移動通信網がＣＤＭＡネットワークである場合を代表的な実施例として説明している。しかし、本発明のシステムは必ずこのようなシステムに限定されるのではない。
【００４４】
すなわち、本発明のシステムは、上記移動通信網がＣＤＭＡネットワークであり、着発信加入者のうち少なくとも何れか一方がＷＣＤＭＡ加入者であり、このＷＣＤＭＡ加入者が上記ＣＤＭＡネットワークにローミング中の場合にも同じく適用できる。この場合、上記ＰＣＸ／ＭＳＣはＩＭＸ／ＳＧＳＮに代替され、上記ＨＬＲはＤＳ‐ＨＬＲに代替され、上記ＳＭＳＣはＤＳ‐ＳＭＳＣに代替され得る。すなわち、着発信加入者がＣＤＭＡネットワークにローミング中のＷＣＤＭＡ加入者である場合、着発信加入者の位置情報やプロファイル情報はＤＳ‐ＨＬＲから獲得する。
【００４５】
以下、上述したシステムに基づいて行われる本発明のコーディネーションメッセージの伝送手続きを概略的に説明する。
【００４６】
本発明によるメッセージコーディネーションサービスを利用しようとする加入者は、有・無線インターネットを利用してメッセージコーディネーションサーバー（ＭＣＳ）に接続し、自分の加入者番号（例えば、ＭＩＮまたはＥＳＮ）と変換するマルチメディアコンテンツを設定・登録する。このようなメッセージコーディネーションサービスの加入登録情報はＷＩＳＥを通じて当該加入者を収容するホーム位置登録機（ＨＬＲ／ＤＳ‐ＨＬＲ）に貯蔵される。このとき、上記メッセージコーディネーションサービスの加入登録情報は上記加入者がＣＤＭＡ加入者である場合にはＨＬＲに記録され、ＷＣＤＭＡ加入者である場合にはＤＳ‐ＨＬＲに記録される。ここで、「メッセージコーディネーションサービス」とは、ショートメッセージをエモティコンを含むショートメッセージ（ＳＭＳ）や、イメージ、動画、音響などを含むマルチメディアメッセージ（ＬＭＳ／ＭＭＳ）に切り換えるサービスを意味する。
【００４７】
このようにホーム位置登録機に貯蔵されたメッセージコーディネーションサービスの加入登録情報は当該加入者の位置登録のときに当該加入者端末を管理する移動交換局（ＭＳＣ）の訪問者位置登録機（ＶＬＲ）に伝送され貯蔵される。
【００４８】
上記加入者が自分の端末を利用してＳＭＳを発送すれば、この発信加入者を管理する発信側移動交換局（ＭＳＣ）は上記訪問者位置登録機（ＶＬＲ）を参照して当該加入者がメッセージコーディネーションサービスに加入・登録されているか否かを確認する。このとき、当該発信加入者がメッセージコーディネーションサービスに加入・登録されたと確認されれば、着信端末を収容するショートメッセージサービスセンター（ＳＭＳＣ／ＤＳ‐ＳＭＳＣ）にショートメッセージと共にメッセージコーディネーションサービスの加入登録情報を伝送する。上記ショートメッセージサービスセンターは伝達するメッセージに含まれたメッセージコーディネーションサービスの加入登録情報に基づいて上記メッセージコーディネーションサーバー（ＭＣＳ）側に上記ショートメッセージの変換を要請する。これによって、メッセージコーディネーションサーバーは当該加入者が登録したマルチメディアコンテンツに基づいて上記ショートメッセージをコーディネーションメッセージに切り換え、これをショートメッセージサービスセンターにリターンする。
【００４９】
メッセージコーディネーションサーバーから変換されたコーディネーションメッセージを伝達されたショートメッセージサービスセンターは着信側のホーム位置登録機を通じて上記着信端末の位置情報を確認し、該当する着信端末を収容する移動交換局に上記コーディネーションメッセージを伝達する。着信側移動交換局はこのコーディネーションメッセージをＳＭＳまたはＭＭＳの形態で着信端末に伝送する。
【００５０】
このように、本発明は発信端末のアップグレードや発信加入者の特別なアクションなしにも移動交換局からショートメッセージサービスセンターに伝送されるメッセージを利用してショートメッセージをマルチメディア形態のコーディネーションメッセージに変換することができる。従って、メッセージ装飾サービスを実現する信号網の効率性を増大させ、ＳＭＳ呼処理手続きをより単純化させることでサービスの品質を向上させる。
【００５１】
以下、上述した本発明のシステムと技術思想とに基づいて発信端末から送出されたショートメッセージ（ＳＭＳ）をショートコーディネーションメッセージ（ＳＭＳ）やマルチメディアコーディネーションメッセージ（ＭＭＳ）に変換する具体的な呼処理手続きを説明する。
【００５２】
まず、図２を参照しながら発信端末から送出されたショートメッセージに文字や文字エモティコンを付加してショートコーディネーションメッセージを生成し、これを着信端末に伝達する方法を説明する。
【００５３】
移動電話サービス加入者が自分の発信端末１１０を所持した状態で任意の基地局１２１が管掌する通信地域に移動すれば、当該基地局１２１は上記発信端末との無線通信を通じて検出した当該端末機の位置情報を上記基地局１２１に連結されている発信側移動交換局１３０に伝送する。
【００５４】
これによって、上記移動交換局１３０は上記発信端末の加入者情報を管理するホーム位置登録機１５０に上記発信端末の位置情報登録を要求する位置登録要求信号（Ｒｅｇ‐ｎｏｔ：Ｒｅｇｉｓｔｒａｔｉｏｎ Ｎｏｔｉｆｉｃａｔｉｏｎ）を伝送する（１）。上記位置登録要求信号を伝送された当該ホーム位置登録機１５０は上記発信端末の加入者が以前に位置した通信地域を管掌する移動交換局及び訪問者位置登録機に上記発信端末の位置情報を削除することを要求する信号（Ｒｅｇ‐Ｃａｎ）を伝送する。上記位置情報削除要求信号を伝送された当該移動交換局及び訪問者位置登録機は当該加入者の全ての情報を削除する一方、この削除事実を知らせる位置情報削除応答（ｒｅｇｃａｎ）信号を上記ホーム位置登録機に伝送する。位置情報削除応答を受信したホーム位置登録機は上記発信端末の新しい位置情報をデータベースに更新・貯蔵した後、更新・貯蔵を知らせる位置登録要求信号（ｒｅｇ‐ｎｏｔ）を上記発信端末の通信地域を管掌する移動交換局及び訪問者位置登録機に伝送する（２）。
【００５５】
このとき、上記位置登録要求信号（ｒｅｇ‐ｎｏｔ）には、上記発信端末の加入者情報、付加サービス加入及び活性化情報が含まれ、特に図４のようなＳＭＳサービスプロファイル情報が収録される。
【００５６】
図４に示したＳＭＳサービスプロファイル（ＳＭＳ‐ＳｅｒｖｉｃｅＰｒｏｆｉｌｅ）は、発信端末１１０の位置登録のときにホーム位置登録機１５０から発信側移動交換局１３０に伝達される情報であって、「ＳＭＳ＿ＶＡＤ＿Ｓｅｒｖｉｃｅ」情報が含まれる。
【００５７】
この「ＳＭＳ＿ＶＡＤ＿Ｓｅｒｖｉｃｅ」の「Ｎｏｔｅｓ ｂ」にはＳＭＳ＿ＶＡＤ＿Ｓｅｒｖｉｃｅの属性及び付加サービスが設定され、「Ｎｏｔｅｓ ｃ」には図５のＳＭＳ発信サービス属性や図６のＳＭＳ着信サービス属性が定義される。特に、図５のＳＭＳ発信サービス属性にはメッセージコーディネーションフィールドとＤｅｃｏ‐ＳＭＳフィールドが存在する。このメッセージコーディネーションフィールドの活性化状態を確認することで当該加入者のサービス加入可否を確認することができる。
【００５８】
ホーム位置登録機１５０から加入者情報、付加サービス加入及び活性化情報、特にＳＭＳサービスプロファイルを伝達された発信側移動交換局１３０はこの情報を訪問者位置登録機（ＶＬＲ）に貯蔵・管理する。
【００５９】
加入者が自分の発信端末１１０を利用してショートメッセージを作成し、このショートメッセージ（ＳＭＳ）を発信端末機番号、着信端末機番号と共に基地局に送出すれば、基地局１２１はこのショートメッセージを上記発信端末が位置している発信側移動交換局１３０に伝送する（３）。このとき、上記ショートメッセージはベアラーデータ（Ｂｅａｒｅｒ Ｄａｔａ）に貯蔵され移動交換局１３０に伝送される。
【００６０】
発信端末からショートメッセージを受信された発信側移動交換局１３０は当該加入者に対応する上記「ＳＭＳサービスプロファイル」（メッセージコーディネーションサービスフィールドが活性化されている）を上記訪問者位置登録機（ＶＬＲ）から呼び入れ、この「ＳＭＳサービスプロファイル」をＳＭＤＰＰメッセージに収録して着信加入者を収容しているショートメッセージサービスセンター１６０に伝達する（４）。
【００６１】
移動交換局１３０からＳＭＤＰＰメッセージを受信した上記ショートメッセージサービスセンター１６０はメッセージ伝送の成功結果や伝送失敗に応じた特定のコードをｓｍｄｐｐ（Ａｃｋ）メッセージ形式で上記移動交換局１３０に伝送する（５）。
【００６２】
上記ショートメッセージサービスセンターは移動交換局のＳＭＤＰＰメッセージのＳＭＳサービスプロファイルの「メッセージコーディネーションサービスフィールド」が活性化されているか否かを判断する。このとき、メッセージコーディネーションサービスフィールドが活性化されていなければ、通常のＳＭＳと同様の処理プロセスを行う。
【００６３】
一方、上記「メッセージコーディネーションサービスフィールド」が活性化されていれば、上記ＳＭＳサービスプロファイルの「ＳＭ Ｏｒｉｇｉｎａｔｉｏｎ ＶＡＤ Ｓｅｒｖｉｃｅ」情報を「ＤＥＬＩＶＥＲ」メッセージ（ＳＭＳデリバーメッセージ）のＳＭ フィールドに収録して付加サービス処理システム１７０に伝送する（６）。
【００６４】
付加サービス処理システム１７０は、ショートメッセージサービスセンター１６０から伝達されたＤＥＬＩＶＥＲ メッセージのＳＭ フィールドに収録されている「ＳＭ Ｏｒｉｇｉｎａｔｉｏｎ ＶＡＤ Ｓｅｒｖｉｃｅ」のメッセージコーディネーションサービスフィールドを確認して当該フィールドが活性化されているか否かを判断する。このとき、当該フィールドが活性化されていれば、「ＤＥＬＩＶＥＲ」メッセージからショートメッセージを抽出し、このように抽出したショートメッセージはメッセージコーディネーションサーバー１８０に伝達する。このとき、ショートメッセージと共に加入者のＳＭＳ付加サービス加入情報も共に伝達される（７）。
【００６５】
付加サービス処理システム１７０からショートメッセージを伝達されたメッセージコーディネーションサーバー１８０は予め設定された規則に従って上記ショートメッセージに文字や文字エモティコンを付加して新しい変換コーディネーションメッセージを生成する。
【００６６】
このように生成されたコーディネーションメッセージは再び付加サービス処理システム１７０に伝達され（８）、付加サービス処理システム１７０はこのコーディネーションメッセージを「ＳＵＢＭＩＴ」メッセージ（ショートメッセージサブミットメッセージ）に収録して上記ショートメッセージサービスセンター１６０に伝送する（９）。
【００６７】
付加サービス処理システム１７０からコーディネーションメッセージが収録された「ＳＵＢＭＩＴ」メッセージを受信されたショートメッセージサービスセンター１６０は「ＳＵＢＭＩＴ」メッセージからコーディネーションメッセージを抽出して臨時貯蔵し、着信端末の移動電話番号に基づいてホーム位置登録機１５０に加入者位置情報を要請（ＳＭＲ）する（１０）。
【００６８】
ショートメッセージサービスセンター１６０から加入者位置情報を要請されたホーム位置登録機１５０は内部データベースを検索することによって現在着信端末が位置している位置情報を検索し、その検索結果をショートメッセージサービスセンター１６０に提供（ｓｍｒ）する（１１）。このとき、上記位置情報と共に着信加入者のＳＭＳ付加サービス情報も共に提供する。
【００６９】
着信端末の位置情報とＳＭＳ付加サービス情報を把握したショートメッセージサービスセンター１６０はこのＳＭＳ付加サービス情報に基づいて着信加入者の付加サービスをショートメッセージに反映する。例えば、着信加入者もメッセージコーディネーションサービスに加入している場合、上記ショートメッセージを上記（６）ないし（９）の手続きを通じて着信加入者に対応するコーディネーションメッセージに切り換える。もちろん、発信加入者と着信加入者が両方ともメッセージコーディネーションサービスに加入した場合には発信加入者が着信加入者に対して優先権を持つ。
【００７０】
上記コーディネーションメッセージをＳＭＤＰＰメッセージに収録して上記着信端末が位置している移動交換局１３０に伝送する（１２）。
【００７１】
ショートメッセージサービスセンター１６０からＳＭＤＰＰメッセージを受信した着信側移動交換局１３０はＳＭＤＰＰメッセージ内に含まれているコーディネーションメッセージをベアラーデータ（Ｂｅａｒｅｒ Ｄａｔａ）に貯蔵して上記着信端末１１０に伝送する（１３）。
【００７２】
着信側移動交換局１３０からコーディネーションメッセージを受信した着信端末１１０はメッセージ伝送の成功結果や伝送失敗に応じた特定のコードをＡｃｋメッセージ形式で上記移動交換局に応答し（１４）、この応答結果はＳＤＭＰＰメッセージ形態でショートメッセージサービスセンターに伝送される（１５）。
【００７３】
ショートコーディネーションメッセージの着信が完了すれば、ショートメッセージサービスセンター１６０はその状態レポート（Ｓｔａｔｕｓ＿Ｒｅｐｏｒｔ）を付加サービス処理システム１７０に伝送し、付加サービス処理システム１６０はこの状態レポートをメッセージコーディネーションサーバー１８０に伝達する（１６）。着信完了に対する状態レポートを伝達されたメッセージコーディネーションサーバー１８０はＷＩＮＧＳでアップデートを行う。
【００７４】
したがって、着信端末加入者はＳＭＳ内に追加的な文字やエモティコンで装飾されたコーディネーションメッセージを受信され、これを確認することができる。
【００７５】
次に、図３を参照しながら発信端末から送出されたショートメッセージにグラフィック、イメージ、動画、音響などのマルチメディアデータを付加してマルチメディアコーディネーションメッセージを生成し、これを着信端末に伝達する上記第１実施例に対する変形例の方法を説明する。
【００７６】
移動電話サービス加入者が自分の発信端末１１０を所持した状態で任意の基地局１２１が管掌する通信地域に移動すれば、当該基地局１２１は上記発信端末１１０との無線通信を通じて検出した当該端末機の位置情報を上記基地局１２１に連結されている発信側移動交換局１３０に伝送する。
【００７７】
これによって、上記移動交換局１３０は上記発信端末の加入者情報を管理するホーム位置登録機１５０に上記発信端末の位置情報登録を要求する位置登録要求信号（Ｒｅｇ‐ｎｏｔ：Ｒｅｇｉｓｔｒａｔｉｏｎ Ｎｏｔｉｆｉｃａｔｉｏｎ）を伝送する（２１）。上記位置登録要求信号を伝送された当該ホーム位置登録機１５０は上記発信端末の加入者が以前に位置した通信地域を管掌する移動交換局及び訪問者位置登録機に上記発信端末の位置情報を削除することを要求する信号（Ｒｅｇ‐Ｃａｎ）を伝送する。上記位置情報削除要求信号を伝送された当該移動交換局及び訪問者位置登録機は当該加入者の全ての情報を削除する一方、この削除事実を知らせる位置情報削除応答（ｒｅｇｃａｎ）信号を上記ホーム位置登録機１５０に伝送する。位置情報削除応答を受信したホーム位置登録機１５０は上記発信端末の新しい位置情報をデータベースに更新・貯蔵した後、更新・貯蔵を知らせる位置登録要求信号（ｒｅｇ‐ｎｏｔ）を上記発信端末の通信地域を管掌する移動交換局及び訪問者位置登録機に伝送する（２２）。
【００７８】
このとき、上記位置登録要求信号（ｒｅｇ‐ｎｏｔ）には上記発信端末の加入者情報、付加サービス加入及び活性化情報が含まれ、特に図４のようなＳＭＳサービスプロファイル情報が収録される。
【００７９】
ホーム位置登録機１５０から加入者情報、付加サービス加入及び活性化情報、特にＳＭＳサービスプロファイルを伝達された発信側移動交換局１３０はこの情報を訪問者位置登録機（ＶＬＲ）に貯蔵・管理する。
【００８０】
加入者が自分の発信端末１１０を利用してショートメッセージを作成し、このショートメッセージを発信端末機番号、着信端末機番号と共に基地局に送出すれば、基地局１２１はこのショートメッセージを上記発信端末が位置している発信側移動交換局１３０に伝送する（２３）。このとき、上記ショートメッセージはベアラーデータ（Ｂｅａｒｅｒ Ｄａｔａ）に貯蔵され移動交換局１３０に伝送される。
【００８１】
発信端末１１０からショートメッセージを受信された発信側移動交換局１３０は当該加入者に対応する上記「ＳＭＳサービスプロファイル」（メッセージコーディネーションサービスフィールドが活性化されている）を呼び入れ、この「サービスプロファイル」をＳＭＤＰＰメッセージに収録して着信加入者を収容するショートメッセージサービスセンター１６０に伝達する（２４）。
【００８２】
移動交換局１３０からＳＭＤＰＰメッセージを受信したショートメッセージサービスセンター１６０はメッセージ伝送の成功結果や伝送失敗に応じた特定のコードをｓｍｄｐｐ（Ａｃｋ）メッセージ形式で上記移動交換局１３０に伝送する（２５）。
【００８３】
上記ショートメッセージサービスセンターは移動交換局のＳＭＤＰＰメッセージのＳＭＳサービスプロファイルの「メッセージコーディネーションサービスフィールド」が活性化されているか否かを判断する。このとき、メッセージコーディネーションサービスフィールドが活性化されていなければ、通常のＳＭＳと同様の処理プロセスを行う。
【００８４】
その反面、「メッセージコーディネーションサービスフィールド」が活性化されていれば、上記ＳＭＳサービスプロファイルの「ＳＭ Ｏｒｉｇｉｎａｔｉｏｎ ＶＡＤ Ｓｅｒｖｉｃｅ」情報をＤＥＬＩＶＥＲ メッセージ（ＳＭＳデリバーメッセージ）のＳＭ フィールドに収録して付加サービス処理システム１７０に伝送する（２６）。
【００８５】
付加サービス処理システム１７０はショートメッセージサービスセンター１６０から伝達されたＤＥＬＩＶＥＲ メッセージのＳＭ フィールドに収録されている「ＳＭ Ｏｒｉｇｉｎａｔｉｏｎ ＶＡＤ Ｓｅｒｖｉｃｅ」のメッセージコーディネーションサービスフィールドを確認して当該フィールドが活性化されているか否かを判断する。このとき、当該フィールドが活性化されていれば、ＤＥＬＩＶＥＲ メッセージからショートメッセージを抽出し、このように抽出したショートメッセージはメッセージコーディネーションサーバー１８０に伝達される。このとき、ショートメッセージと共に加入者のＳＭＳ付加サービス加入情報も共に伝達される（２７）。
【００８６】
付加サービス処理システム１７０からショートメッセージを伝達されたメッセージコーディネーションサーバー１８０は予め登録されている加入者のＳＭＳサービス属性に応じてショートメッセージにグラフィック、イメージ、動画、音響などを付加して変換コーディネーションメッセージを生成する。
【００８７】
このように生成されたマルチメディアコーディネーションメッセージはマルチメディアメッセージサービスセンター１９０に伝達され（２８）、マルチメディアメッセージサービスセンター１９０はこのマルチメディアコーディネーションメッセージをＳＵＢＭＩＴ メッセージ（ＳＭＳサブミットメッセージ）に収録して上記ショートメッセージサービスセンター１６０に伝送する（２９）。
【００８８】
マルチメディアメッセージサービスセンター１７０からマルチメディアコーディネーションメッセージが収録されたＳＵＢＭＩＴ メッセージを受信されたショートメッセージサービスセンター１６０はＳＵＢＭＩＴ メッセージからコーディネーションメッセージを抽出して臨時貯蔵し、着信端末の移動電話番号に基づいてホーム位置登録機１５０に加入者位置情報を要請（ＳＭＲ）する（３０）。
【００８９】
ショートメッセージサービスセンター１６０から加入者位置情報を要請されたホーム位置登録機１５０は内部データベースを検索することによって現在着信端末が位置している位置情報を検索し、その検索結果をショートメッセージサービスセンター１６０に提供（ｓｍｒ）する（３１）。このとき、上記位置情報と共に着信加入者のＳＭＳ付加サービス情報も共に提供する。
【００９０】
着信端末の位置情報とＳＭＳ付加サービス情報を把握したショートメッセージサービスセンター１６０はこのＳＭＳ付加サービス情報に基づいて着信加入者の付加サービスをショートメッセージに反映する。例えば、着信加入者もメッセージコーディネーションサービスに加入している場合、上記ショートメッセージを上記（２６）ないし（２９）の手続きを通じて着信加入者に対応するコーディネーションメッセージに切り換える。もちろん、発信加入者と着信加入者が両方ともメッセージコーディネーションサービスに加入した場合には発信加入者が着信加入者に対して優先権を持つ。
【００９１】
このように、着信端末の位置情報を把握したショートメッセージサービスセンター１６０は上記コーディネーションメッセージをＳＭＤＰＰメッセージに収録して上記着信端末が位置している移動交換局１３０に伝送する（３２）。
【００９２】
ショートメッセージサービスセンター１６０からＳＭＤＰＰメッセージを受信した着信側移動交換局１３０はＳＭＤＰＰメッセージ内に収録されたコーディネーションメッセージをベアラーデータ（Ｂｅａｒｅｒ Ｄａｔａ）に貯蔵して着信端末１１０に伝送する（３３）。
【００９３】
着信側移動交換局１３０からコーディネーションメッセージを受信した着信端末１１０はメッセージ伝送の成功結果や伝送失敗に応じた特定のコードをＡｃｋメッセージ形式で上記移動交換局に応答し（３４）、この応答結果はＳＭＤＰＰメッセージ形態でショートメッセージサービスセンターに伝送される（３５）。
【００９４】
マルチメディアコーディネーションメッセージの着信が完了すれば、ショートメッセージサービスセンター１６０はその状態レポート（Ｓｔａｔｕｓ＿Ｒｅｐｏｒｔ）を付加サービス処理システム１７０に伝送し、付加サービス処理システム１６０はこの状態レポートをメッセージコーディネーションサーバー１８０に伝達する（３６）。着信完了に対する状態レポートを伝達されたメッセージコーディネーションサーバー１８０はＷＩＮＧＳでアップデートを行う。
【００９５】
したがって、着信端末加入者は文字データにグラフィック、イメージ、動画または音響などが付加されたマルチメディアメッセージを受信され、これを確認することができる。
【００９６】
[第２実施例]
図７は、本発明の第２実施例によるメッセージコーディネーションサービスを実現するための広帯域コード分割多重接続（ＷＣＤＭＡ）ネットワークの構成を示している。
【００９７】
図面に示したように、本発明によるショートメッセージを装飾するシステム１０００は、セクタ単位で分割して割り当てられた通信領域内に位置する複数の加入者端末１１００、この加入者端末１１００と無線通信する基地局（ＲＴＳ：Ｒａｄｉｏ Ｔｒａｎｓｃｅｉｖｅｒ Ｓｕｂｓｙｓｔｅｍ）１２１０、上記基地局１２１０を制御する無線制御局（ＲＮＣ：Ｒａｄｉｏ Ｎｅｔｗｏｒｋ Ｃｏｎｔｒｏｌｌｅｒ）１２２０；回線交換器１３００；訪問者位置登録機（ＶＬＲ：Ｖｉｓｉｔｏｒ Ｌｏｃａｔｉｏｎ Ｒｅｇｉｓｔｅｒ）１３５０；パケット交換器１３１０、ＩＰ バックボーン網１４００；ホーム位置登録機（ＤＳ‐ＨＬＲ：ＤＳ‐Ｈｏｍｅ Ｌｏｃａｔｉｏｎ Ｒｅｇｉｓｔｅｒ）１５００；付加サービス処理システム（ＶＡＳ：Ｖａｌｕｅ Ａｄｄｅｄ Ｓｅｒｖｉｃｅ Ｓｅｒｖｅｒ）１７００；ショートメッセージサービスセンター（ＤＳ‐ＳＭＳＣ：ＤＳ‐Ｓｈｏｒｔ Ｍｅｓｓａｇｅ Ｓｅｒｖｉｃｅ Ｃｅｎｔｅｒ）１６００；マルチメディアメッセージサービスセンター（ＭＭＳＣ：Ｍｕｌｔｉｍｅｄｉａ Ｍｅｓｓａｇｅ Ｓｅｒｖｉｃｅ Ｃｅｎｔｅｒ）１９００及びメッセージコーディネーションサーバー（ＭＣＳ：Ｍｅｓｓａｇｅ Ｃｏｏｒｄｉｎａｔｉｏｎ Ｓｅｒｖｅｒ）１８００を含む。
【００９８】
上記加入者端末１１００は、回線網（ＣＳＮ：Ｃｉｒｃｕｉｔ Ｓｗｉｔｃｈｅｄ Ｎｅｔｗｏｒｋ）とパケット網（ＰＳＮ：Ｐａｃｋｅｔ Ｓｗｉｔｃｈｅｄ Ｎｅｔｗｏｒｋ）を通じてショートメッセージサービス（ＳＭＳ）を利用する端末機であってショートメッセージサービス（ＳＭＳ）及び／またはマルチメディアメッセージ（ＭＭＳ）の着発信が可能になるようにＳＭＳまたはＭＭＳを支援するソフトウェアが搭載されなければならない。本発明による加入者端末１１００は、セルラーフォーン、ＰＣＳ（Ｐｅｒｓｏｎａｌ Ｃｏｍｍｕｎｉｃａｔｉｏｎ Ｓｅｒｖｉｃｅ）フォーン、ＰＤＡフォーン、ＧＳＭフォーン、ＣＤＭＡ‐２０００フォーン、ＷＣＤＭＡフォーン、ＤＭＢフォーンなどを全て含み、特にＷＣＤＭＡフォーンであることが望ましい。
【００９９】
上記無線接続網１２００は、上記加入者端末の移動性を保障する役割をし、ハンドオフ（Ｈａｎｄ‐Ｏｆｆ）及び無線資源管理機能を行う。上記無線接続網１２００は基地局１２１０及び無線制御局１２２０から構成され加入者端末１１００をコアネットワーク（Ｃｏｒｅ Ｎｅｔｗｏｒｋ）に回線接続またはパケット接続させるための接続ネットワーク（Ａｃｃｅｓｓ Ｎｅｔｗｏｒｋ）を構成する。
【０１００】
上記基地局（ＲＴＳ）１２１０は、３ＧＰＰ無線接続規格に従う加入者端末との無線接続縦断機能を行い、特に音声・映像及びデータトラフィック（ｔｒａｆｆｉｃ）をＷＣＤＭＡ方式で送受信する機能を行う。上記無線制御局（ＲＮＣ）１２２０は、有・無線チャンネル管理、加入者端末とのプロトコル整合、基地局間のプロトコル整合、ソフトハンドオフ処理、コアネットワークプロトコル処理、ＧＰＲＳ（Ｇｅｎｅｒａｌ Ｐａｃｋｅｔ Ｒａｄｉｏ Ｓｅｒｖｉｃｅ）接続、障害管理、システムローディング（ｌｏａｄｉｎｇ）などのような機能を担当する。ここで、ＧＰＲＳとは、１１５ｋｂｐｓのデータ伝送速度を支援し、マルチメディアメールを提供し、パケット単位のデータ伝送により伝送回線の効率を極大化する非同期方式の通信システムである。
【０１０１】
上記回線交換器１３００は、既存のＩＳ‐９５Ｂ網での音声通話のための基本的な機能以外にも呼処理を高速にするためのソフトスイッチング（Ｓｏｆｔ Ｓｗｉｔｃｈｉｎｇ）構造を持つ。ここで、ソフトスイッチングとは、従来交換器の回線スイッチをソフトウェアスイッチにアップグレードして音声・データ及び映像信号を高速のパケットスイッチで処理できる技術である。
【０１０２】
上記訪問者位置登録機（ＶＬＲ）１３５０は、回線交換器１３００の管轄領域に入ってくる加入者端末１１００の位置情報を登録・管理し、新たに獲得した加入者端末の位置情報をホーム位置登録機１５００に通報する機能を行う。また、ホーム位置登録機１５００から受信した加入者端末１１００のプロファイル（Ｐｒｏｆｉｌｅ）情報のコピーを渡されて管理しながら、加入者端末１１００の位置制御、呼処理、付加サービス処理などに活用する機能を行う。ここで、プロファイル情報は、加入者端末のＭＩＮ（Ｍｏｂｉｌｅ Ｉｄｅｎｔｉｆｉｃａｔｉｏｎ Ｎｕｍｂｅｒ）、ＥＳＮ（Ｅｌｅｃｔｒｉｃａｌ Ｓｅｒｉａｌ Ｎｕｍｂｅｒ）、付加サービス情報などをいう。
【０１０３】
上記パケット交換器（ＳＧＳＮ）１３１０は、ＧＰＲＳ サービスのためにＡＴＭ（Ａｓｙｎｃｈｒｏｎｏｕｓ Ｔｒａｎｓｆｅｒ Ｍｏｄｅ）基盤のスイッチ及びルーティング接続を提供するハードウェア構造を持ち、各種のデータサービス処理による運営体制（ＯＳ：Ｏｐｅｒａｔｉｎｇ Ｓｙｓｔｅｍ）を支援する。運営体制の機能はＧＰＲＳ移動性管理、ＧＰＲＳセッション管理、ＧＰＲＳ認証及び課金機能などから構成される。
【０１０４】
本発明の場合、上記発信側回線交換器１３００は、発信端末の位置登録のときにホーム位置登録機１５００から当該発信端末の加入者情報、付加サービス加入及び活性化情報を伝達され、これを訪問者位置登録機１３５０に貯蔵・管理する。特に、ホーム位置登録機１５００から受信する位置登録応答メッセージ（ｉｄｓ‐ａｃｋ）には、図１１のようなＳＭＳ発信サービス属性情報が収録された「ＳＭＳ ｉｎｄｉｃａｔｏｒ」が含まれる。従って、発信端末１１００からＳＭＳが送出されれば、上記発信側回線交換器１３００は訪問者位置登録機（ＶＬＲ）１３５０に貯蔵されている当該発信加入者のＳＭＳ発信サービス属性を確認し当該加入者がメッセージコーディネーションサービスに加入されているか否かを確認する。このとき、当該加入者がメッセージコーディネーションサービスに加入されている場合、メッセージコーディネーションを指示する「ＳＭＳ ｉｎｄｉｃａｔｏｒ」が含まれたＦｏｒｗａｒｄ＿ＳＭメッセージをショートメッセージサービスセンター（ＤＳ‐ＳＭＳＣ）１６００に伝送する。
【０１０５】
上記ホーム位置登録機（ＤＳ‐ＨＬＲ）１５００は、加入者情報、加入者別付加サービス情報及び移動通信端末の位置情報を貯蔵・管理する。特に、ホーム位置登録機１５００は発信及び着信端末のプロファイル情報を貯蔵している。このプロファイル情報は、加入者端末のＭＩＮ（加入者電話番号）、ＥＳＮ（移動電話機一連番号）、加入された付加サービス情報などを含む。従って、本発明によるメッセージコーディネーションサービスに加入された加入者の情報は上記プロファイル情報に記録される。
【０１０６】
上記ショートメッセージサービスセンター（ＤＳ‐ＳＭＳＣ）１６００は、ＳＭＳ用基本サービスを処理し、ショートメッセージを処理するためのデータを一時貯蔵するか伝達する機能を行う。また、ショートメッセージサービスのためのゲート機能を行い、回線交換器１３００、パケット交換器１３１０及びホーム位置登録機１５００との連動のためのショートメッセージサービスＭＡＰ（Ｍｏｂｉｌｅ Ａｐｐｌｉｃａｔｉｏｎ Ｐａｒｔ）処理機能を行い、外部サービス提供者との連動のためのプロトコル整合機能も行う。
【０１０７】
特に、本発明によるショートメッセージサービスセンター１６００は、発信側回線交換器１３００やパケット交換器１３１０から図１１のような構造の「ＳＭＳ ｉｎｄｉｃａｔｏｒ」を含むＦｏｒｗａｒｄ＿ＳＭメッセージを受信し、上記「ＳＭＳ ｉｎｄｉｃａｔｏｒ」のメッセージコーディネーションサービスフィールドが活性化されているか否かを判断する。このとき、メッセージコーディネーションサービスフィールドが活性化されていれば、ＳＭＳの変換を指示する命令をＤＥＬＩＶＥＲ メッセージに収録して上記付加サービス処理システム（ＶＡＳ）１７００に伝達する。
【０１０８】
また、上記ショートメッセージサービスセンター１６００は、着信加入者の位置情報要請（ＩＤＳ）メッセージに対するホーム位置登録機１５００の位置情報応答（ｉｄｓ）メッセージから図１１のようなＳＭＳ着信サービス属性データを獲得する。このＳＭＳ着信サービス属性データに基づいて伝送するＳＭＳのメッセージコーディネーション可否を判断する。このとき、上記着信加入者がメッセージコーディネーションサービスに加入されている場合、当該ショートメッセージを付加サービス処理システム１７００に伝送することで予め登録されたフォーマットに装飾化する。
【０１０９】
上記付加サービス処理システム１７００は、ＴＣＰ／ＩＰを基本とするＳＭＣＩ（Ｓｈｏｒｔ Ｍｅｓｓａｇｅ Ｃｌｉｅｎｔ Ｉｎｔｅｒｆａｃｅ）を通じて上記ショートメッセージサービスセンター１６００と接続される。この付加サービス処理システム１７００はショートメッセージサービスセンターとの接続機能を通じて全ての付加情報サービスを処理し、ショートメッセージサービスに対する全般的な加入者管理、課金管理及び運営管理機能を行う。
【０１１０】
特に、本発明による付加サービス処理システム１７００は、ショートメッセージサービスセンター１６００から伝達されたＳＭＳデリバーメッセージ（ＤＥＬＩＶＥＲ メッセージ）を受信し、このＳＭＳデリバーメッセージに収録されたＳＭＳ発信サービス属性に基づいて当該発信加入者がメッセージコーディネーションサービスに加入されているか否かを判断し、メッセージコーディネーションサービスに加入されている場合にはＳＭＳデリバーメッセージからショートメッセージを抽出して上記メッセージコーディネーションサーバー１８００に伝達する。
【０１１１】
また、上記メッセージコーディネーションサーバー１８００により生成されたコーディネーションメッセージがショートメッセージである場合には、メッセージコーディネーションサーバー１８００からこのショートコーディネーションメッセージを受信され、このコーディネーションメッセージをＳＭＳサブミットメッセージ（ＳＵＢＭＩＴ メッセージ）に収録してショートメッセージサービスセンター１６００に伝達する。
【０１１２】
上記メッセージコーディネーションサーバー１８００は、上記付加サービス処理システム１７００から伝達されるショートメッセージに予め設定された規則に従って、文字、エモティコン（文字エモティコンまたはグラフィックエモティコン）、イメージ、動画または音響を付加して新しいショートメッセージ（ＳＭＳ）やマルチメディアメッセージ（ＬＭＳ／ＭＭＳ）を生成する。特に、ショートメッセージを装飾化してメッセージを変換する形態は加入者が予め登録したフォーマットによる。また、上記メッセージコーディネーションサーバー１８００はメッセージ装飾化を通じて変換されたメッセージがショートメッセージである場合には上記付加サービス処理システム１７００に伝達し、上記変換メッセージがマルチメディアメッセージ（または長文メッセージ）である場合には上記マルチメディアメッセージサービスセンター（または長文メッセージサービスセンター）１９００に伝達する。
【０１１３】
上記マルチメディアメッセージサービスセンター１９００は、上記メッセージコーディネーションサーバー１８００により変換されたＬＭＳ／ＭＭＳをＳＭＳサブミットメッセージ（ＳＵＢＭＩＴ メッセージ）に収録して上記ショートメッセージサービスセンター１６００に伝達する。
【０１１４】
以下、上述した本発明のシステムと技術思想とに基づいて発信端末から送出されたショートメッセージ（ＳＭＳ）をショートコーディネーションメッセージ（ＳＭＳ）やマルチメディアコーディネーションメッセージ（ＭＭＳ）に変換する具体的な呼処理手続きを説明する。
【０１１５】
図８を参照すれば、移動電話サービス加入者が自分の発信端末１１００を所持した状態で任意の基地局１２１０が管掌する通信地域に移動すれば、当該基地局１２１０は上記発信端末との無線通信を通じて検出した当該端末機の位置情報を上記基地局１２１０に連結されている発信側回線交換器１３００に伝送する。
【０１１６】
これにより、上記回線交換器１３００は上記発信端末１１００の加入者情報を管理するホーム位置登録機１５００に上記発信端末の位置情報登録を要求する位置登録要求信号（ＩＤＳ）を伝送する（１）。上記位置登録要求信号（ＩＤＳ）を伝送された当該ホーム位置登録機１５００は上記発信端末の加入者が以前に位置した通信地域を管掌する回線交換器（ＭＳＣ）及び訪問者位置登録機（ＶＬＲ）に上記発信端末の位置情報を削除することを要求する信号を伝送する。上記位置情報削除要求信号を伝送された当該回線交換器及び訪問者位置登録機は当該加入者の全ての情報を削除する一方、この削除事実を知らせる位置情報削除応答信号を上記ホーム位置登録機に伝送する。位置情報削除応答を受信したホーム位置登録機は上記発信端末の新しい位置情報をデータベースに更新・貯蔵した後、更新・貯蔵を知らせる位置登録応答信号（ｉｄｓ）を上記発信端末の通信地域を管掌する回線交換器に伝送する（２）。
【０１１７】
このとき、上記位置登録応答信号（ｉｄｓ）には上記発信端末の加入者情報、付加サービス加入及び活性化情報が含まれ、特に図１０のような「Ｏｒｉｇｉｎａｔｉｏｎ Ｓｅｒｖｉｃｅ Ｉｎｄｉｃａｔｏｒ」情報が収録される。
【０１１８】
図１０に示した「Ｏｒｉｇｉｎａｔｉｏｎ Ｓｅｒｖｉｃｅ Ｉｎｄｉｃａｔｏｒ」情報は、発信端末１１００の位置登録のときにホーム位置登録機１５００から発信側回線交換器１３００に伝達される情報であって、図１１の「ＳＭＳ ｉｎｄｉｃａｔｏｒ」が含まれる。
【０１１９】
この「ＳＭＳ ｉｎｄｉｃａｔｏｒ」にはＳＭＳ発信サービス属性だけでなくＳＭＳ着信サービス属性が含まれる。従って、この「ＳＭＳ ｉｎｄｉｃａｔｏｒ」を確認することで発信加入者や着信加入者のメッセージコーディネーションサービス加入可否を判別することができる。
【０１２０】
ここで、上記ＳＭＳ発信サービス属性は当該加入者がＳＭＳを発送するとき当該ショートメッセージに適用される付加サービスの属性を示し、上記ＳＭＳ着信サービス属性は当該加入者を着信者とするＳＭＳに適用する付加サービスの属性を示す。
【０１２１】
上記ホーム位置登録機１５００から加入者情報、付加サービス加入情報、特にメッセージコーディネーションサービスの活性化情報が含まれた「ＳＭＳ ｉｎｄｉｃａｔｏｒ」を伝達された発信側回線交換器１３００はこの情報を訪問者位置登録機（ＶＬＲ）に貯蔵・管理する。
【０１２２】
その後、加入者が自分の発信端末１１００を利用してショートメッセージを作成し、このショートメッセージ（ＳＭＳ）を発信端末機番号、着信端末機番号と共に基地局に送出すれば、基地局１２１０はこのショートメッセージを上記発信端末が位置している発信側回線交換器１３００に伝送する（３）。このとき、上記ショートメッセージはベアラーデータ（Ｂｅａｒｅｒ Ｄａｔａ）に貯蔵され回線交換器１３００に伝送される。
【０１２３】
発信端末からショートメッセージを受信された発信側回線交換器１３００は当該加入者に対応する上記「ＳＭＳ ｉｎｄｉｃａｔｏｒ」（メッセージコーディネーションサービスが活性化されている）を上記訪問者位置登録機（ＶＬＲ）から呼び入れ、この「ＳＭＳ ｉｎｄｉｃａｔｏｒ」をＦｏｒｗａｒｄ＿ＳＭメッセージに収録して着信加入者を収容しているショートメッセージサービスセンター（ＤＳ‐ＳＭＳＣ）１６００に伝達する（４）。
【０１２４】
回線交換器１３００からＦｏｒｗａｒｄ＿ＳＭメッセージを受信した上記ショートメッセージサービスセンター１６００はメッセージ伝送の成功結果や伝送失敗に応じた特定のコードをｆｏｒｗａｒｄ＿ｓｍ（Ａｃｋ）メッセージ形式で上記回線交換器１３００にリターンする（５）。
【０１２５】
上記ショートメッセージサービスセンター１６００は上記Ｆｏｒｗａｒｄ＿ＳＭメッセージ内に収録された「ＳＭＳ ｉｎｄｉｃａｔｏｒ」のＳＭＳ発信サービス属性情報を確認して当該発信加入者がメッセージコーディネーションサービスに加入されているか否かを判断する。このとき、メッセージコーディネーションサービスに加入されていないと確認されれば、通常のＳＭＳと同様の処理プロセスを行う。
【０１２６】
その反面、当該発信加入者がメッセージコーディネーションサービスに加入されたと確認されれば、上記「ＳＭＳ ｉｎｄｉｃａｔｏｒ」情報をＤＥＬＩＶＥＲ メッセージ（ＳＭＳデリバーメッセージ）に収録して付加サービス処理システム１７００に伝送する（６）。
【０１２７】
付加サービス処理システム１７００は、ショートメッセージサービスセンター１６００から伝達されたＤＥＬＩＶＥＲ メッセージのＳＭＳ発信サービス属性情報を確認してショートメッセージをコーディネーションメッセージに変換するかの可否を判断する。このとき、ＳＭＳ発信サービス属性がコーディネーションメッセージへの変換に設定されていれば、ＤＥＬＩＶＥＲ メッセージからショートメッセージを抽出し、このように抽出したショートメッセージをメッセージコーディネーションサーバー１８００に伝達する（７）。
【０１２８】
付加サービス処理システム１７００からショートメッセージを伝達されたメッセージコーディネーションサーバー１８００は、発信加入者により予め登録されたフォーマットに従って上記ショートメッセージに文字や文字エモティコンを付加して新しい変換コーディネーションメッセージを生成する。
【０１２９】
このように生成されたコーディネーションメッセージは再び付加サービス処理システム１７００に伝達され（８）、付加サービス処理システム１７００はこのコーディネーションメッセージをＳＵＢＭＩＴ メッセージ（ＳＭＳサブミットメッセージ）に収録して上記ショートメッセージサービスセンター１６００にリターンする（９）。
【０１３０】
付加サービス処理システム１７００からコーディネーションメッセージが収録されたＳＵＢＭＩＴ メッセージを受信されたショートメッセージサービスセンター１６００は、ＳＵＢＭＩＴ メッセージからコーディネーションメッセージを抽出して臨時貯蔵して、着信端末のネットワークノードナンバー（Ｎｅｔｗｏｒｋ Ｎｏｄｅ Ｎｕｍｂｅｒ）に基づいて着信端末を収容するホーム位置登録機１５００に加入者位置情報を要請（ＳＲＩ）する（１０）。
【０１３１】
ショートメッセージサービスセンター１６００から加入者位置情報を要請されたホーム位置登録機１５００は内部データベースを検索することによって現在着信端末が位置している位置情報を検索し、その検索結果をショートメッセージサービスセンター１６００に応答（ｓｒｉ_ａｃｋ）する（１１）。このとき、上記位置情報と共に着信加入者のＳＭＳ着信サービス属性情報も共に提供する。すなわち、ホーム位置登録機１５００は着信加入者の「ＳＭＳ ｉｎｄｉｃａｔｏｒ」をＭＡＰ‐ＥｘｔｅｎｓｉｏｎのＥｘｔｅｎｓｉｏｎＳｅｔに収録して上記ショートメッセージサービスセンター１６００に提供する。
【０１３２】
着信端末の位置情報とＳＭＳ着信サービス属性を把握したショートメッセージサービスセンター１６００はこのＳＭＳ着信サービス属性に基づいて着信加入者の付加サービスをショートメッセージに反映する。例えば、着信加入者もメッセージコーディネーションサービスに加入している場合、ショートメッセージを上記（６）ないし（９）の手続きを通じて着信加入者に対応するコーディネーションメッセージに切り換える。もちろん、発信加入者と着信加入者が両方ともメッセージコーディネーションサービスに加入されている場合には発信加入者が着信加入者に対して優先権を持つ。
【０１３３】
着信加入者の位置情報を把握したショートメッセージサービスセンター１５００は、上記コーディネーションメッセージをＦｏｒｗａｒｄ＿ＳＭメッセージに収録して上記着信端末が位置している回線交換器１３００に伝送する（１２）。
【０１３４】
ショートメッセージサービスセンター１６００からＦｏｒｗａｒｄ＿ＳＭメッセージを受信した着信側回線交換器１３００は、Ｆｏｒｗａｒｄ＿ＳＭメッセージ内に含まれたコーディネーションメッセージをベアラーデータ（Ｂｅａｒｅｒ Ｄａｔａ）に貯蔵して着信端末１１００に伝送する（１３）。
【０１３５】
着信側回線交換器１３００からコーディネーションメッセージを受信した着信端末１１００は、メッセージ伝送の成功結果や伝送失敗に応じた特定のコードをＡｃｋメッセージ形式で上記回線交換器１３００に応答し（１４）、この応答結果はｆｏｗａｒｄ_ｓｍ メッセージ形態でショートメッセージサービスセンター１６００に伝送される（１５）。
【０１３６】
ショートコーディネーションメッセージの着信が完了すれば、ショートメッセージサービスセンター１６００はその状態レポート（Ｓｔａｔｕｓ＿Ｒｅｐｏｒｔ）を付加サービス処理システム１７００に伝送し、付加サービス処理システム１６００はこの状態レポートをメッセージコーディネーションサーバー１８００に伝達する（１６）。
【０１３７】
本実施例においては発信端末から送出されたショートメッセージが回線交換器１３００に伝送されることのみを説明しているが、図７に示したように発信端末から送出されたショートメッセージはパケット交換器１３１０を通じても伝送され得る。これは無線制御局１２４０で発信端末からＳＭＳを受信したとき、回線網サービスを利用していたのか、パケット網サービスを利用していたのかを判断してショートメッセージを何れの網に伝送するかを決めて伝送することでなされる。
【０１３８】
上述した手続きを通じて着信端末加入者はＳＭＳ内に追加的な文字やエモティコンで装飾されたコーディネーションメッセージを受信され、これを確認することができる。
【０１３９】
次に、図９を参照しながら本発明の第２実施例に対する変形例を説明する。
【０１４０】
移動電話サービス加入者が自分の発信端末１１００を所持した状態で任意の基地局１２１０が管掌する通信地域に移動すれば、当該基地局１２１０は上記発信端末との無線通信を通じて検出した当該端末機の位置情報を上記基地局１２１０に連結されている発信側回線交換器１３００に伝送する。
【０１４１】
これにより、上記回線交換器１３００は上記発信端末１１００の加入者情報を管理するホーム位置登録機１５００に上記発信端末の位置情報登録を要求する位置登録要求信号（ＩＤＳ）を伝送する（２１）。上記位置登録要求信号（ＩＤＳ）を伝送された当該ホーム位置登録機１５００は上記発信端末の加入者が以前に位置した通信地域を管掌する回線交換器（ＭＳＣ）及び訪問者位置登録機（ＶＬＲ）に上記発信端末の位置情報を削除することを要求する信号を伝送する。上記位置情報削除要求信号を伝送された当該回線交換器及び訪問者位置登録機は当該加入者の全ての情報を削除する一方、この削除事実を知らせる位置情報削除応答信号を上記ホーム位置登録機に伝送する。位置情報削除応答を受信したホーム位置登録機は上記発信端末の新しい位置情報をデータベースに更新・貯蔵した後更新・貯蔵を知らせる位置登録応答信号（ｉｄｓ）を上記発信端末の通信地域を管掌する回線交換器１３００に伝送する（２２）。
【０１４２】
このとき、上記位置登録応答信号（ｉｄｓ）には上記発信端末の加入者情報、付加サービス加入及び活性化情報が含まれ、特に図１０のような「Ｏｒｉｇｉｎａｔｉｏｎ Ｓｅｒｖｉｃｅ Ｉｎｄｉｃａｔｏｒ」情報が収録される。
【０１４３】
図１０に示した「Ｏｒｉｇｉｎａｔｉｏｎ Ｓｅｒｖｉｃｅ Ｉｎｄｉｃａｔｏｒ」情報は、加入者端末１１００の位置登録のときにホーム位置登録機１５００から回線交換器１３００に伝達される情報であって、図１１の「ＳＭＳ ｉｎｄｉｃａｔｏｒ」が含まれる。
【０１４４】
この「ＳＭＳ ｉｎｄｉｃａｔｏｒ」にはＳＭＳ発信サービス属性だけでなくＳＭＳ着信サービス属性が含まれる。従って、この「ＳＭＳ ｉｎｄｉｃａｔｏｒ」を確認することで加入者のメッセージコーディネーションサービス加入可否が判別できる。
【０１４５】
ここで、上記ＳＭＳ発信サービス属性は当該加入者がＳＭＳを発送するとき、当該ショートメッセージに適用される付加サービスの属性を示し、上記ＳＭＳ着信サービス属性は当該加入者を着信者とするＳＭＳに適用する付加サービスの属性を示す。
【０１４６】
上記ホーム位置登録機１５００から、加入者情報、付加サービス加入情報、特にメッセージコーディネーションサービスの活性化情報が含まれた「ＳＭＳ ｉｎｄｉｃａｔｏｒ」を伝達された発信側回線交換器１３００はこの情報を訪問者位置登録機（ＶＬＲ）に貯蔵・管理する。
【０１４７】
その後、加入者が自分の発信端末１１００を利用してショートメッセージを作成し、このショートメッセージ（ＳＭＳ）を発信端末機番号、着信端末機番号と共に基地局に送出すれば、基地局１２１０はこのショートメッセージを上記発信端末が位置している発信側回線交換器１３００に伝送する（２３）。このとき、上記ショートメッセージはベアラーデータ（Ｂｅａｒｅｒ Ｄａｔａ）に貯蔵され回線交換器１３００に伝送される。
【０１４８】
発信端末からショートメッセージを受信された発信側回線交換器１３００は当該加入者に対応する上記「ＳＭＳ ｉｎｄｉｃａｔｏｒ」（メッセージコーディネーションサービスが活性化されている）を上記訪問者位置登録機（ＶＬＲ）から呼び入れ、この「ＳＭＳ ｉｎｄｉｃａｔｏｒ」をＦｏｒｗａｒｄ＿ＳＭメッセージに収録して着信加入者を収容しているショートメッセージサービスセンター（ＤＳ‐ＳＭＳＣ）１６００に伝達する（２４）。
【０１４９】
回線交換器１３００からＦｏｒｗａｒｄ＿ＳＭメッセージを受信した上記ショートメッセージサービスセンター１６００は、メッセージ伝送の成功結果や伝送失敗に応じた特定のコードをｆｏｒｗａｒｄ＿ｓｍ（Ａｃｋ）メッセージ形式で上記回線交換器１３００に伝送する（２５）。
【０１５０】
上記ショートメッセージサービスセンター１６００は、上記Ｆｏｒｗａｒｄ＿ＳＭメッセージ内に収録された「ＳＭＳ ｉｎｄｉｃａｔｏｒ」のＳＭＳ発信サービス属性情報を確認して当該発信加入者がメッセージコーディネーションサービスに加入されているか否かを判断する。このとき、メッセージコーディネーションサービスに加入されていないと確認されれば、通常のＳＭＳと同様の処理プロセスを行う。
【０１５１】
その反面、当該発信加入者がメッセージコーディネーションサービスに加入されたと確認されれば、上記ＳＭＳ ｉｎｄｉｃａｔｏｒ 情報をＤＥＬＩＶＥＲ メッセージ（ＳＭＳデリバーメッセージ）に収録して付加サービス処理システム１７００に伝送する（２６）。
【０１５２】
付加サービス処理システム１７００は、ショートメッセージサービスセンター１６００から伝達されたＤＥＬＩＶＥＲ メッセージに収録されているＳＭＳ発信サービス属性情報を確認してショートメッセージをコーディネーションメッセージに変換するか可否を判断する。このとき、ＳＭＳ発信サービス属性がコーディネーションメッセージへの変換に設定されていれば、ＤＥＬＩＶＥＲ メッセージからショートメッセージを抽出し、このように抽出したショートメッセージをメッセージコーディネーションサーバー１８００に伝達する（２７）。
【０１５３】
付加サービス処理システム１７００からショートメッセージを伝達されたメッセージコーディネーションサーバー１８００は、予め登録されている加入者のＳＭＳサービス属性に従ってショートメッセージにグラフィック、イメージ、動画、音響などを付加して変換コーディネーションメッセージを生成する。
【０１５４】
このように生成されたマルチメディアコーディネーションメッセージはマルチメディアメッセージサービスセンター１９００に伝達され（２８）、マルチメディアメッセージサービスセンター１９００はこのマルチメディアコーディネーションメッセージをＳＵＢＭＩＴ メッセージ（ＳＭＳサブミットメッセージ）に収録して上記ショートメッセージサービスセンター１６００にリターンする（２９）。
【０１５５】
マルチメディアメッセージサービスセンター１７００からマルチメディアコーディネーションメッセージが収録されたＳＵＢＭＩＴ メッセージを受信されたショートメッセージサービスセンター１６００は、ＳＵＢＭＩＴ メッセージからコーディネーションメッセージを抽出して臨時貯蔵して、着信端末のネットワークノードナンバー（Ｎｅｔｗｏｒｋ Ｎｏｄｅ Ｎｕｍｂｅｒ）に基づいて着信端末を収容するホーム位置登録機１５００に加入者位置情報を要請（ＳＲＩ）する（３０）。
【０１５６】
ショートメッセージサービスセンター１６００から加入者位置情報を要請されたホーム位置登録機１５００は内部データベースを検索することによって現在着信端末が位置している位置情報を検索し、その検索結果をショートメッセージサービスセンター１６００に応答（ｓｒｉ_ａｃｋ）する（３１）。このとき、上記位置情報と共に着信加入者のＳＭＳ着信サービス属性情報も共に提供する。すなわち、ホーム位置登録機１５００は着信加入者の「ＳＭＳ ｉｎｄｉｃａｔｏｒ」をＭＡＰ‐ＥｘｔｅｎｓｉｏｎのＥｘｔｅｎｓｉｏｎＳｅｔに収録して上記ショートメッセージサービスセンター１６００に提供する。
【０１５７】
着信端末の位置情報とＳＭＳ着信サービス属性を把握したショートメッセージサービスセンター１６００はこのＳＭＳ着信サービス属性に基づいて着信加入者の付加サービスをショートメッセージに反映する。例えば、着信加入者もメッセージコーディネーションサービスに加入している場合、ショートメッセージを上記（２６）ないし（２９）の手続きを通じて着信加入者に対応するコーディネーションメッセージに切り換える。もちろん、発信加入者と着信加入者が両方ともメッセージコーディネーションサービスに加入した場合には発信加入者が着信加入者に対して優先権を持つ。
【０１５８】
着信加入者の位置情報を把握したショートメッセージサービスセンター１５００は、上記コーディネーションメッセージをＦｏｒｗａｒｄ＿ＳＭメッセージに収録して上記着信端末が位置している回線交換器１３００に伝送する（３２）。
【０１５９】
ショートメッセージサービスセンター１６００からＦｏｒｗａｒｄ＿ＳＭメッセージを受信した着信側回線交換器１３００はＦｏｒｗａｒｄ＿ＳＭメッセージ内に含まれたコーディネーションメッセージをベアラーデータ（Ｂｅａｒｅｒ Ｄａｔａ）に貯蔵して着信端末１１００に伝送する（３３）。
【０１６０】
着信側回線交換器１３００からコーディネーションメッセージを受信した着信端末１１００は、メッセージ伝送の成功結果や伝送失敗に応じた特定のコードをＡｃｋメッセージ形式で上記回線交換器１３００に応答し（３４）、この応答結果はｆｏｗａｒｄ_ｓｍ メッセージ形態でショートメッセージサービスセンター１６００に伝送される（３５）。
【０１６１】
このようにショートコーディネーションメッセージの着信が完了すれば、ショートメッセージサービスセンター１６００はその状態レポート（Ｓｔａｔｕｓ＿Ｒｅｐｏｒｔ）を付加サービス処理システム１７００に伝送し、付加サービス処理システム１６００はこの状態レポートをメッセージコーディネーションサーバー１８００に伝達する。（３６）
本変形例においては、発信端末から送出されたショートメッセージが回線交換器１３００に伝送されることのみを説明しているが、図７に示したように発信端末から送出されたショートメッセージはパケット交換器１３１０を通じても伝送され得る。これは無線制御局１２４０で発信端末からＳＭＳを受信したとき、回線網サービスを利用していたのか、パケット網サービスを利用していたのかを判断してショートメッセージを何れの網に伝送するかを決めて伝送することでなされる。
【０１６２】
上述した過程を通じて着信端末加入者は文字データに、グラフィック、イメージ、動画または音響などが付加されたマルチメディアメッセージを受信され、これを確認することができる。
【０１６３】
〔産業上の利用可能性〕
本発明は、移動電話網の核心的なネットワークの実体に対する変更や修正を加えずに、プロトコルに従う伝送メッセージを活用するだけで低コストでショートメッセージを装飾するコーディネーションサービスを実現することができる。
【０１６４】
また、本発明は、着発信端末に特殊なプログラムを設置するか、特殊キーや書体の選択のような別途の使用者アクションを要しない。
【図面の簡単な説明】
【０１６５】
【図１】図１は、本発明の第１実施例によるメッセージコーディネーションサービスを実現するためのコード分割多重接続（ＣＤＭＡ）ネットワークの構成図である。
【図２】図２は、本発明の第１実施例によるメッセージコーディネーションサービス（ＳＭＳ‐ＳＭＳ）の呼処理手続き流れ図である。
【図３】図３は、上記図２の変形例によるメッセージコーディネーションサービス（ＳＭＳ‐ＭＭＳ）の呼処理手続き流れ図である。
【図４】図４は、ＩＳ‐４１Ｄプロトコルに従うＳＭＳ‐ＳｅｒｖｉｃｅＰｒｏｆｉｌｅに対するパラメータの定義を示したものである。
【図５】図５は、ＳＭＳ ＶＡＤ サービスの中でＳＭＳ発信サービスの属性を示すデータ構造図である。
【図６】図６は、ＳＭＳ ＶＡＤ サービスの中でＳＭＳ着信サービスの属性を示すデータ構造図である。
【図７】図７は、本発明の第２実施例によるメッセージコーディネーションサービスを実現するための広帯域コード分割多重接続（ＷＣＤＭＡ）ネットワークの構成図である。
【図８】図８は、本発明の第２実施例によるメッセージコーディネーションサービス（ＳＭＳ‐ＳＭＳ）の呼処理手続き流れ図である。
【図９】図９は、上記図８の変形例によるメッセージコーディネーションサービス（ＳＭＳ‐ＭＭＳ）の呼処理手続き流れ図である。
【図１０】図１０は、ＭＡＰ‐Ｅｘｔｅｎｓｉｏｎ フィールドのＥｘｔｅｎｓｉｏｎ ｓｅｔのデータ構造図である。
【図１１】図１１は、上記Ｅｘｔｅｎｓｉｏｎ ｓｅｔに含まれるＳＭＳ ｉｎｄｉｃａｔｏｒの属性を示すテーブルである。
【図１】
2009512248.tif 000003
【図２】
2009512248.tif 000004
【図３】
2009512248.tif 000005
【図４】
2009512248.tif 000006
【図５】
2009512248.tif 000007
【図６】
2009512248.tif 000008
【図７】
2009512248.tif 000009
【図８】
2009512248.tif 000010
【図９】
2009512248.tif 000011
【図１０】
2009512248.tif 000012
【図１１】
2009512248.tif 000013
【国際調査報告】
2009512248.tif 000014
2009512248.tif 000015